(57)【要約】  本発明は、チャネル状態情報ＣＳＩのフィードバック方法、プリコーディング方法及び装置を開示する。本発明に開示したＣＳＩのフィードバック方法は、端末は、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択するステップと、端末は、選択されたＣＳＩ−ＲＳリソースまたはＣＳＩ−ＲＳポート、及び、選択されたＣＳＩ−ＲＳリソースまたはＣＳＩ−ＲＳポートに対応するプリコーディングマトリックス集合に基づき、チャネル品質インジケータ（ＣＱＩ）を測定するステップとを備え、前記プリコーディングマトリックス集合に１つ以上のプリコーディングマトリックスが含まれ、前記約定したサブバンド上の１つの物理リソースは、前記プリコーディングマトリックス集合内の１つのプリコーディングマトリックスに対応し、端末は、前記ＣＱＩ及び選択されたＣＳＩ−ＲＳリソースまたはＣＳＩ−ＲＳポートの指示情報をフィードバックする。本発明は、ＣＳＩとチャネル状態とのマッチングの程度を向上することができる。
2019510419.tif 000002
【特許請求の範囲】
【請求項１】
端末は、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択するステップと、
前記端末は、選択されたＣＳＩ−ＲＳリソースまたはＣＳＩ−ＲＳポート、及び、選択されたＣＳＩ−ＲＳリソースまたはＣＳＩ−ＲＳポートに対応するプリコーディングマトリックス集合に基づき、チャネル品質インジケータ（ＣＱＩ）を測定するステップと、
前記端末は、前記ＣＱＩ及び選択されたＣＳＩ−ＲＳリソースまたはＣＳＩ−ＲＳポートの指示情報をフィードバックするステップとを備え、
前記プリコーディングマトリックス集合に１つ以上のプリコーディングマトリックスが含まれ、前記約定したサブバンド上の１つの物理リソースは、前記プリコーディングマトリックス集合内の１つのプリコーディングマトリックスに対応することを特徴とするチャネル状態情報ＣＳＩのフィードバック方法。
【請求項２】
前記端末が、選択されたＣＳＩ−ＲＳリソースまたはＣＳＩ−ＲＳポート、及び選択されたＣＳＩ−ＲＳリソースまたは選択されたＣＳＩ−ＲＳポートに対応するプリコーディングマトリックス集合に基づき、ＣＱＩを測定する場合、
前記端末は、ダウンリンクチャネル情報、及び前記約定したサブバンド内の物理リソースに対応するプリコーディングマトリックスに基づき、ＣＱＩを測定し、
前記プリコーディングマトリックスは、選択されたＣＳＩ−ＲＳリソースまたは選択されたＣＳＩ−ＲＩポートに対応するプリコーディングマトリックス集合内のプリコーディングマトリックスであることを特徴とする請求項１に記載のチャネル状態情報ＣＳＩのフィードバック方法。
【請求項３】
前記端末は、選択されたＣＳＩ−ＲＳリソース及び選択されたＣＳＩ−ＲＳリソースに対応するプリコーディングマトリックス集合に基づき、ＣＱＩを測定する場合、
前記端末は、プリコーディングマトリックス集合に基づき、選択されたＣＳＩ−ＲＳリソースに対応するダウンリンクチャネル情報それぞれに対し、ＣＱＩを測定し、各々ＣＳＩ−ＲＳリソースに対応するＣＱＩを取得し、または
前記端末は、選択された各々ＣＳＩ−ＲＳリソースに対応するダウンリンクチャネル情報を合併し、プリコーディングマトリックス集合に基づき、合併後のダウンリンクチャネル情報に対しＣＱＩを測定し、選択された複数のＣＳＩ−ＲＳリソースに対応するジョイントＣＱＩを取得することを特徴とする請求項１に記載のチャネル状態情報ＣＳＩのフィードバック方法。
【請求項４】
前記端末は、選択されたＣＳＩ−ＲＳポート及び選択されたＣＳＩ−ＲＳポートに対応するプリコーディングマトリックス集合に基づき、ＣＱＩを測定する場合、
前記端末は、プリコーディングマトリックス集合に基づき、選択されたＣＳＩ−ＲＳポートに対応するダウンリンクチャネル情報に対しＣＱＩを測定し、選択されたＣＳＩ−ＲＳポートに対応するＣＱＩを取得し、または
前記端末は、前記基地局により設定されたＣＳＩ−ＲＳリソースに対応するダウンリンクチャネル情報、及び選択されたＣＳＩ−ＲＳポートに対応するプリコーディングマトリックス集合に基づき、ＣＱＩを測定し、選択されたＣＳＩ−ＲＳポートに対応するＣＱＩを取得することを特徴とする請求項１に記載のチャネル状態情報ＣＳＩのフィードバック方法。
【請求項５】
前記端末は、所定のランクインジケータ（ＲＩ）及びダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択することを特徴とする請求項１に記載のチャネル状態情報ＣＳＩのフィードバック方法。
【請求項６】
端末は、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する場合、
前記端末は、前記基地局により設定されたＣＳＩ−ＲＳリソース集合内のＣＳＩ−ＲＳリソースまたはＣＳＩ−ＲＳポートに対応するダウンリンクチャネル情報に基づき、前記基地局により設定されたＣＳＩ−ＲＳリソースまたはＣＳＩ−ＲＳポートに対応する伝送性能情報を確定し、
または、前記端末は、前記基地局により設定されたＣＳＩ−ＲＳリソース集合内のＣＳＩ−ＲＳリソースまたはＣＳＩ−ＲＳポートに対応するプリコーディングマトリックス集合と、ダウンリンクチャネル情報を計算し得た結果に基づき、前記基地局により設定されたＣＳＩ−ＲＳリソースまたはＣＳＩ−ＲＳポートに対応する伝送性能情報を確定し、
前記端末は、確定された前記ＣＳＩ−ＲＳリソースまたはＣＳＩ−ＲＳポートに対応する伝送性能情報に基づき、基地局により設定されたＣＳＩ−ＲＳリソース集合から、約定したサブバンド上のＣＳＩ−ＲＳリソースまたはＣＳＩ−ＲＳポートを選択することを特徴とする請求項１に記載のチャネル状態情報ＣＳＩのフィードバック方法。
【請求項７】
選択されたＣＳＩ−ＲＳリソースの指示情報は、前記基地局により設定されたＣＳＩ−ＲＳリソース集合内の、選択されたＣＳＩ−ＲＳリソースのインデックスであることを特徴とする請求項１に記載のチャネル状態情報ＣＳＩのフィードバック方法。
【請求項８】
選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または
選択されたＣＳＩ−ＲＳポートの指示情報は、事前設定のコードブック内の、選択されたＣＳＩ−ＲＳポートに対応するプリコーディングマトリックス集合のインデックスであることを特徴とする請求項１に記載のチャネル状態情報ＣＳＩのフィードバック方法。
【請求項９】
選択されたＣＳＩ−ＲＳリソースに対応するプリコーディングマトリックス集合は、前記端末と基地局により事前約定されたものであることを特徴とする請求項１ないし請求項８のいずれか１項に記載のチャネル状態情報ＣＳＩのフィードバック方法。
【請求項１０】
選択されたＣＳＩ−ＲＳポートに対応するプリコーディングマトリックス集合内のプリコーディングマトリックスは、列選択ベクトル、または、列選択ベクトル・グループより構成され、前記列選択ベクトル内の１つのエレメントは１であり、他のエレメントは０であり、または
選択されたＣＳＩ−ＲＳポートに対応するプリコーディングマトリックス集合は、列選択ベクトル及び位相集合、または、列選択ベクトル・グループ及び位相集合に基づいて得られたものであり、前記位相集合には１つ以上の位相因子が含まれ、１つの位相因子に基づいて、１つのプリコーディングマトリックス集合内の１つのプリコーディングマトリックスを取得することを特徴とする請求項１ないし請求項８のいずれか１項に記載のチャネル状態情報ＣＳＩのフィードバック方法。
【請求項１１】
選択されたＣＳＩ−ＲＳポートに対応するプリコーディングマトリックス集合内のプリコーディングマトリックス内の１つの列ベクトルは、連結されたＭ個の列選択ベクトルより構成され、Ｍは選択されたＣＳＩ−ＲＳポート数と等しく、前記Ｍ個の列選択ベクトル内の値が１であるエレメエレメントに対応するポートは、選択されたＣＳＩ−ＲＳポートを構成し、Ｍは、１より大きいか等しい整数であることを特徴とする請求項１０に記載のチャネル状態情報ＣＳＩのフィードバック方法。
【請求項１２】
前記約定したサブバンドにおいて、ｉ番目の物理リソースは、前記プリコーディングマトリックス集合内のｋ番目のプリコーディングマトリックスに対応し、 
ここで、k=i mod K、i=0,1,2…Ｎ、k=0,1,2,3,…,K−1、Kは、プリコーディングマトリックス集合内のプリコーディングマトリックス数であり、Ｎはサブバンド内の物理リソース数であり、または、
k=ceil(i/v) mod K、ここで、ceil(i/v)はi/vより小さくない最小整数を示し、v=ＲＩまたはvはアンテナポート数であり、i=0,1,2…Ｎ、k=0,1,2,3,…,K−1、Kは、プリコーディングマトリックス集合内のプリコーディングマトリックス数であり、Ｎはサブバンド内の物理リソース数であることを特徴とする請求項１ないし請求項１１のいずれか１項に記載のチャネル状態情報ＣＳＩのフィードバック方法。
【請求項１３】
前記物理リソースは、リソースエレメント（ＲＥ）、サブキャリア、物理リソースブロック（ＰＲＢ）またはＰＲＢ集合であり、または、前記物理リソースは、データシンボルを伝送するためのＲＥ、サブキャリア、ＰＲＢまたはＰＲＢ集合であることを特徴とする請求項１ないし請求項１１のいずれか１項に記載のチャネル状態情報ＣＳＩのフィードバック方法。
【請求項１４】
基地局は、端末からフィードバックされたチャネル品質インジケータ（ＣＱＩ）及び選択された約定したサブバンド上のＣＳＩ−ＲＳリソースまたはＣＳＩ−ＲＳポートの指示情報を受信し、
前記基地局は、前記ＣＱＩに基づき、ダウンリンク伝送のコーディング・変調方式を確定し、
前記基地局は、選択された約定したサブバンド上のＣＳＩ−ＲＳリソースまたはＣＳＩ−ＲＳポートの指示情報に基づき、対応するプリコーディングマトリックス集合及びビームフォーミングベクトルを確定し、
前記基地局は、確定されたプリコーディングマトリックス集合及びビームフォーミングベクトルに基づき、前記約定したサブバンド上の物理リソースにおいて伝送するデータに対しプリコーディングを行うことを特徴とするプリコーディング方法。
【請求項１５】
前記に対応するプリコーディングマトリックス集合及びビームフォーミングベクトルは、前記基地局が選択された約定したサブバンド上のＣＳＩ−ＲＳリソースまたはＣＳＩ−ＲＳポートの指示情報に基づいて確定されたものであり、
前記基地局は、確定されたプリコーディングマトリックス集合及びビームフォーミングベクトルに基づき、前記約定したサブバンド上の物理リソースにおいて伝送するデータに対しプリコーディングを行う場合、
前記基地局は、確定された第１プリコーディングマトリックス集合内のプリコーディングマトリックスと、確定されたビームフォーミングベクトルとを計算し、プリコーディングするための第２プリコーディングマトリックス集合を取得し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、
前記基地局は、前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行うことを特徴とする請求項１４に記載のプリコーディング方法。
【請求項１６】
前記に対応するプリコーディングマトリックス集合及びビームフォーミングベクトルは、前記基地局が選択された約定したサブバンド上のＣＳＩ−ＲＳポートの指示情報に基づいて確定されたものであり、
前記基地局は、確定されたプリコーディングマトリックス集合及びビームフォーミングベクトルに基づき、前記約定したサブバンド上の物理リソースにおいて伝送するデータに対しプリコーディングを行う場合、
前記基地局は、確定されたプリコーディングマトリックス集合内のプリコーディングマトリックス内の列選択ベクトルそれぞれを、列選択ベクトル各自に対応するビームフォーミングベクトルに替え、プリコーディングするための第２プリコーディングマトリックス集合を取得し、ここで、１つのプリコーディングマトリックス内の１つの列ベクトルは、Ｍ個の列選択ベクトルが連続されて構成され、列選択ベクトルそれぞれは１つのＣＳＩ−ＲＳポートに対応し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、Ｍは、１より大きいか等しい整数であり、
前記基地局は、前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行うことを特徴とする請求項１４に記載のプリコーディング方法。
【請求項１７】
前記約定したサブバンドにおいて、ｉ番目の物理リソースは、前記第２プリコーディングマトリックス集合内のｋ番目のプリコーディングマトリックスに対応し、 
k=i mod K、ここで、i=0,1,2…Ｎ，k=0,1,2,3,…,K−1，Kは第２プリコーディングマトリックス集合内のプリコーディングマトリックス数であり、Ｎはサブバンド内の物理リソース数であり、または、
k=ceil(i/v) mod K、ここで、ceil(i/v)はi/vより小さくない最小整数を示し、v=ＲＩまたはvはアンテナポート数であり、i=0,1,2…Ｎ，k=0,1,2,3,…,K−1，Kは第２プリコーディングマトリックス集合内のプリコーディングマトリックス数であり、Ｎはサブバンド内の物理リソース数であることを特徴とする請求項１５または請求項１６に記載のプリコーディング方法。
【請求項１８】
選択されたＣＳＩ−ＲＳリソースの指示情報は、前記基地局により設定されたＣＳＩ−ＲＳリソース集合内の、選択されたＣＳＩ−ＲＳリソースのインデックスであることを特徴とする請求項１４に記載のプリコーディング方法。
【請求項１９】
選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または
選択されたＣＳＩ−ＲＳポートの指示情報は、事前設定のコードブック内の、選択されたＣＳＩ−ＲＳポートに対応するプリコーディングマトリックス集合のインデックスであることを特徴とする請求項１４に記載のプリコーディング方法。
【請求項２０】
ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する選択モジュールと、
選択されたＣＳＩ−ＲＳリソースまたはＣＳＩ−ＲＳポート，及び選択されたＣＳＩ−ＲＳリソースまたはＣＳＩ−ＲＳポートに対応するプリコーディングマトリックス集合に基づき、チャネル品質インジケータ（ＣＱＩ）を測定する測定モジュールと、
前記ＣＱＩ及び選択されたＣＳＩ−ＲＳリソースまたはＣＳＩ−ＲＳポートの指示情報をフィードバックするフィードバックモジュールとを備え、
前記プリコーディングマトリックス集合に１つ以上のプリコーディングマトリックスが含まれ、前記約定したサブバンド上の１つの物理リソースは、前記プリコーディングマトリックス集合内の１つのプリコーディングマトリックスに対応することを特徴とする端末。
【請求項２１】
前記測定モジュールは、
ダウンリンクチャネル情報、及び前記約定したサブバンド内の物理リソースに対応するプリコーディングマトリックスに基づき、ＣＱＩを測定し、前記プリコーディングマトリックスは、選択されたＣＳＩ−ＲＳリソースまたは選択されたＣＳＩ−ＲＩポートに対応するプリコーディングマトリックス集合内のプリコーディングマトリックスであることを特徴とする請求項２０に記載の端末。
【請求項２２】
前記選択モジュールは、基地局により設定されたＣＳＩ−ＲＳリソース集合から、約定したサブバンド上のＣＳＩ−ＲＳリソースを選択し、
前記測定モジュールは、
プリコーディングマトリックス集合に基づき、選択されたＣＳＩ−ＲＳリソースに対応するダウンリンクチャネル情報それぞれに対し、ＣＱＩを測定し、各々ＣＳＩ−ＲＳリソースに対応するＣＱＩを取得し、または
選択された各々ＣＳＩ−ＲＳリソースに対応するダウンリンクチャネル情報を合併し、プリコーディングマトリックス集合に基づき、合併後のダウンリンクチャネル情報に対しＣＱＩを測定し、選択された複数のＣＳＩ−ＲＳリソースに対応するジョイントＣＱＩを取得することを特徴とする請求項２０に記載の端末。
【請求項２３】
前記選択モジュールは、基地局により設定されたＣＳＩ−ＲＳリソース集合から、約定したサブバンド上のＣＳＩ−ＲＳポートを選択し、
前記測定モジュールは、
プリコーディングマトリックス集合に基づき、選択されたＣＳＩ−ＲＳポートに対応するダウンリンクチャネル情報に対しＣＱＩを測定し、選択されたＣＳＩ−ＲＳポートに対応するＣＱＩを取得し、または
前記基地局により設定されたＣＳＩ−ＲＳリソースに対応するダウンリンクチャネル情報及び選択されたＣＳＩ−ＲＳポートに対応するプリコーディングマトリックス集合に基づき、ＣＱＩを測定し、選択されたＣＳＩ−ＲＳポートに対応するＣＱＩを取得することを特徴とする請求項２０に記載の端末。
【請求項２４】
前記選択モジュールは、
所定のランクインジケータ（ＲＩ）及びダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択することを特徴とする請求項２０に記載の端末。
【請求項２５】
前記選択モジュールは、
前記基地局により設定されたＣＳＩ−ＲＳリソース集合内のＣＳＩ−ＲＳリソースまたはＣＳＩ−ＲＳポートに対応するダウンリンクチャネル情報に基づき、前記基地局により設定されたＣＳＩ−ＲＳリソースまたはＣＳＩ−ＲＳポートに対応する伝送性能情報を確定し、または、前記基地局により設定されたＣＳＩ−ＲＳリソース集合内のＣＳＩ−ＲＳリソースまたはＣＳＩ−ＲＳポートに対応するプリコーディングマトリックス集合と、ダウンリンクチャネル情報を計算し得た結果に基づき、前記基地局により設定されたＣＳＩ−ＲＳリソースまたはＣＳＩ−ＲＳポートに対応する伝送性能情報を確定し、
確定された前記ＣＳＩ−ＲＳリソースまたはＣＳＩ−ＲＳポートに対応する伝送性能情報に基づき、基地局により設定されたＣＳＩ−ＲＳリソース集合から、約定したサブバンド上のＣＳＩ−ＲＳリソースまたはＣＳＩ−ＲＳポートを選択することを特徴とする請求項２０に記載の端末。
【請求項２６】
選択されたＣＳＩ−ＲＳリソースの指示情報は、前記基地局により設定されたＣＳＩ−ＲＳリソース集合内の、選択されたＣＳＩ−ＲＳリソースのインデックスであることを特徴とする請求項２０に記載の端末。
【請求項２７】
選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または
選択されたＣＳＩ−ＲＳポートの指示情報は、事前設定のコードブック内の、選択されたＣＳＩ−ＲＳポートに対応するプリコーディングマトリックス集合のインデックスであることを特徴とする請求項２０に記載の端末。
【請求項２８】
選択されたＣＳＩ−ＲＳリソースに対応するプリコーディングマトリックス集合は、前記端末と基地局により事前約定されたものであることを特徴とする請求項２０ないし請求項２７のいずれか１項に記載の端末。
【請求項２９】
選択されたＣＳＩ−ＲＳポートに対応するプリコーディングマトリックス集合内のプリコーディングマトリックスは、列選択ベクトル、または、列選択ベクトル・グループより構成され、前記列選択ベクトル内の１つのエレメントは１であり、他のエレメントは０であり、または
選択されたＣＳＩ−ＲＳポートに対応するプリコーディングマトリックス集合は、列選択ベクトル及び位相集合、または、列選択ベクトル・グループ及び位相集合に基づいて得られたものであり、前記位相集合には１つ以上の位相因子が含まれ、１つの位相因子に基づいて、１つのプリコーディングマトリックス集合内の１つのプリコーディングマトリックスを取得することを特徴とする請求項２０ないし請求項２７のいずれか１項に記載の端末。
【請求項３０】
選択されたＣＳＩ−ＲＳポートに対応するプリコーディングマトリックス集合内のプリコーディングマトリックス内の１つの列ベクトルは、連結されたＭ個の列選択ベクトルより構成され、Ｍは選択されたＣＳＩ−ＲＳポート数と等しく、前記Ｍ個の列選択ベクトル内の値が１であるエレメエレメントに対応するポートは、選択されたＣＳＩ−ＲＳポートを構成し、Ｍは、１より大きいか等しい整数であることを特徴とする請求項２９に記載の端末。
【請求項３１】
前記約定したサブバンドにおいて、ｉ番目の物理リソースは、前記プリコーディングマトリックス集合内のｋ番目のプリコーディングマトリックスに対応し、 
ここで、k=i mod Ｋ、i=０,１,２…Ｎ、k=０,１,２,３,…,Ｋ−１、Ｋは、プリコーディングマトリックス集合内のプリコーディングマトリックス数であり、Ｎはサブバンド内の物理リソース数であり、または、
k=ceil(i/v) mod Ｋ，ここで、ceil(i/v)はi/vより小さくない最小整数を示し、v=ＲＩまたはvはアンテナポート数であり、i=０,１,２…Ｎ、k=０,１,２,３,…,Ｋ−１、Ｋは、プリコーディングマトリックス集合内のプリコーディングマトリックス数であり、Ｎはサブバンド内の物理リソース数であることを特徴とする請求項２０ないし請求項３０のいずれか１項に記載の端末。
【請求項３２】
前記物理リソースは、リソースエレメント（ＲＥ）、サブキャリア、物理リソースブロック（ＰＲＢ）またはＰＲＢ集合であり、または、前記物理リソースは、データシンボルを伝送するためのＲＥ、サブキャリア、ＰＲＢまたはＰＲＢ集合であることを特徴とする請求項２０ないし請求項３０のいずれか１項に記載の端末。
【請求項３３】
端末からフィードバックされたチャネル品質インジケータ（ＣＱＩ）及び選択された約定したサブバンド上のＣＳＩ−ＲＳリソースまたはＣＳＩ−ＲＳポートの指示情報を受信する受信モジュールと、
前記ＣＱＩに基づき、ダウンリンク伝送のコーディング・変調方式を確定する第１確定モジュールと、
選択された約定したサブバンド上のＣＳＩ−ＲＳリソースまたはＣＳＩ−ＲＳポートの指示情報に基づき、対応するプリコーディングマトリックス集合及びビームフォーミングベクトルを確定する第２確定モジュールと、
確定されたプリコーディングマトリックス集合及びビームフォーミングベクトルに基づき、前記約定したサブバンド上の物理リソースにおいて伝送するデータに対してプリコーディングを行うプリコーディングモジュールとを備えることを特徴とする基地局。
【請求項３４】
前記に対応するプリコーディングマトリックス集合及びビームフォーミングベクトルは、前記第２確定モジュールが選択された約定したサブバンド上のＣＳＩ−ＲＳリソースまたはＣＳＩ−ＲＳポートの指示情報に基づいて確定されたものであり、
前記プリコーディングモジュールは、
確定された第１プリコーディングマトリックス集合内のプリコーディングマトリックスと、確定されたビームフォーミングベクトルとを計算し、プリコーディングするための第２プリコーディングマトリックス集合を取得し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、
前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行うことを特徴とする請求項３３に記載の基地局。
【請求項３５】
前記に対応するプリコーディングマトリックス集合及びビームフォーミングベクトルは、前記第２確定モジュールが選択された約定したサブバンド上のＣＳＩ−ＲＳポートの指示情報に基づいて確定されたものであり、
前記プリコーディングモジュールは、
確定されたプリコーディングマトリックス集合内のプリコーディングマトリックス内の列選択ベクトルそれぞれを、列選択ベクトル各自に対応するビームフォーミングベクトルに替え、プリコーディングするための第２プリコーディングマトリックス集合を取得し、ここで、１つのプリコーディングマトリックス内の１つの列ベクトルは、Ｍ個の列選択ベクトルが連続されて構成され、列選択ベクトルそれぞれは１つのＣＳＩ−ＲＳポートに対応し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、Ｍは、１より大きいか等しい整数であり、
前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行うことを特徴とする請求項３３に記載の基地局。
【請求項３６】
前記約定したサブバンドにおいて、ｉ番目の物理リソースは、前記第２プリコーディングマトリックス集合内のｋ番目のプリコーディングマトリックスに対応し、 
ここで、k=i mod Ｋ、i=０,１,２…Ｎ、k=０,１,２,３,…,Ｋ−１、Ｋは第２プリコーディングマトリックス集合内のプリコーディングマトリックス数であり、Ｎはサブバンド内の物理リソース数であり、または、
k=ceil(i/v) mod Ｋ，ここで、ceil(i/v)はi/vより小さくない最小整数を示し、v=ＲＩまたはvはアンテナポート数であり、i=０,１,２…Ｎ、k=０,１,２,３,…,Ｋ−１、Ｋは第２プリコーディングマトリックス集合内のプリコーディングマトリックス数であり、Ｎはサブバンド内の物理リソース数であることを特徴とする請求項３４または請求項３５に記載の基地局。
【請求項３７】
選択されたＣＳＩ−ＲＳリソースの指示情報は、前記基地局により設定されたＣＳＩ−ＲＳリソース集合内の、選択されたＣＳＩ−ＲＳリソースのインデックスであることを特徴とする請求項３３に記載の基地局。
【請求項３８】
選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または
選択されたＣＳＩ−ＲＳポートの指示情報は、事前設定のコードブック内の、選択されたＣＳＩ−ＲＳポートに対応するプリコーディングマトリックス集合のインデックスであることを特徴とする請求項３３に記載の基地局。
【請求項３９】
プロセッサと、メモリと、通信モジュールと、バスインターフェイスとを備え、
前記メモリは、プロセッサが動作する際に用いられるデータを格納し、
前記プロセッサは、前記メモリに格納された指令を執行して、バスアーキテクチャを管理し、通信モジュールを制御することによりデータを送受信し、
プロセッサが前記メモリに格納された指令を執行する場合、前記端末は、請求項１ないし請求項１３のいずれか１項に記載の前記方法を執行することを特徴とする端末。
【請求項４０】
プロセッサと、メモリと、通信モジュールと、バスインターフェイスとを備え、
前記メモリは、プロセッサが動作する際に用いられるデータを格納し、
前記プロセッサは、前記メモリに格納された指令を執行して、バスアーキテクチャを管理し、通信モジュールを制御することによりデータを送受信し、
プロセッサが前記メモリに格納された指令を執行する場合、前記端末は、請求項１４ないし請求項１９のいずれか１項に記載の前記方法を執行することを特徴とする基地局。
【発明の詳細な説明】
【技術分野】
【０００１】
本発明は通信技術分野に関し、特にＣＳＩのフィードバック方法、プリコーディング方法、装置、端末及び基地局に関する。
【背景技術】
【０００２】
モビリティと広帯域は、近代的な通信技術の発展の傾向にあり、３ＧＰＰ（３ｒｄ Ｇｅｎｅｒａｔｉｏｎ Ｐａｒｔｎｅｒｓｈｉｐ Ｐｒｏｊｅｃｔ，第３世代パートナーシッププロジェクト）は、3Gシステムから進化しているＬＴＥ（Ｌｏｎｇ Ｔｅｒｍ Ｅｖｏｌｕｔｉｏｎ，ロングタームエボリューション）システムに力を入れて、3GPP無線アクセス技術を高データレート、短時間遅延、および最適化されたパケットデータアプリケーションに向けて開発している。物理層のマルチアンテナＭＩＭＯ（Ｍｕｌｔｉｐｌｅ-Ｉｎｐｕｔ Ｍｕｌｔｉｐｌｅ-Ｏｕｔｐｕｔ）技術は、従来の移動通信システムの重要な技術の1つとなっている。マルチアンテナ技術に多くのメリットを有し、例えば、マルチアンテナの区間分割多重を用いてシステム容量を向上し、マルチアンテナの多重化利得を用いてシステムのスループットを増やすなどの利点がある。
【０００３】
基地局がいくつかのＣＳＩ（Ｃｈａｎｎｅｌ Ｓｔａｔｅ Ｉｎｆｏｒｍａｔｉｏｎ，チャネル状態情報）（瞬時値であってもよいし、短期間または中長期の統計情報であってもよい）を取得した後、前処理によって、データストリームに印加した電力、レート、さらには送信方向を最適化することができる。また、前処理によってデータストリーム間の干渉の一部または全部を端末で事前に除去することができ、より高い性能を達成することができる。
【０００４】
したがって、業界では、端末によってフィードバックされたCSIとチャネル状態のマッチングを改善することが非常に望ましい
【発明の概要】
【発明が解決しようとする課題】
【０００５】
本発明の実施例は、ＣＳＩのフィードバック方法、プリコーディング方法、装置、端末及び基地局を提供し、ＣＳＩとチャネル状態とのマッチングの程度を向上させることができる。
【課題を解決するための手段】
【０００６】
第１態様によれば、ＣＳＩのフィードバック方法は、
端末は、ダウンリンクチャネル情報に基づき、基地局により設定されたＣＳＩ−ＲＳ（Ｃ  ｈａｎｎｅｌ Ｓｔａｔｅ Ｉｎｆｏｒｍａｔｉｏｎ−ｒｅｆｅｒｅｎｃｅ Ｓｉｇｎａｌ）リソース集合から、約定したサブバンド上のＣＳＩ−ＲＳリソースまたはＣＳＩ−ＲＳポートを選択するステップと、前記端末は、選択されたＣＳＩ−ＲＳリソースまたはＣＳＩ−ＲＳポート、及び、選択されたＣＳＩ−ＲＳリソースまたはＣＳＩ−ＲＳポートに対応するプリコーディングマトリックス集合に基づき、チャネル品質インジケータ（ＣＱＩ）を測定するステップと、前記端末は、前記ＣＱＩ及び選択されたＣＳＩ−ＲＳリソースまたはＣＳＩ−ＲＳポートの指示情報をフィードバックするステップとを備え、前記プリコーディングマトリックス集合に１つ以上のプリコーディングマトリックスが含まれ、前記約定したサブバンド上の１つの物理リソースは、前記プリコーディングマトリックス集合内の１つのプリコーディングマトリックスに対応する。
【０００７】
前記端末が、選択されたＣＳＩ−ＲＳリソースまたはＣＳＩ−ＲＳポート、及び選択されたＣＳＩ−ＲＳリソースまたは選択されたＣＳＩ−ＲＳポートに対応するプリコーディングマトリックス集合に基づき、ＣＱＩを測定する場合、前記端末は、ダウンリンクチャネル情報、及び前記約定したサブバンド内の物理リソースに対応するプリコーディングマトリックスに基づき、ＣＱＩを測定し、前記プリコーディングマトリックスは、選択されたＣＳＩ−ＲＳリソースまたは選択されたＣＳＩ−ＲＩポートに対応するプリコーディングマトリックス集合内のプリコーディングマトリックスである。
【０００８】
好ましくは、前記端末は、選択されたＣＳＩ−ＲＳリソース及び選択されたＣＳＩ−ＲＳリソースに対応するプリコーディングマトリックス集合に基づき、ＣＱＩを測定する場合、
前記端末は、プリコーディングマトリックス集合に基づき、選択されたＣＳＩ−ＲＳリソースに対応するダウンリンクチャネル情報それぞれに対し、ＣＱＩを測定し、各々ＣＳＩ−ＲＳリソースに対応するＣＱＩを取得し、または前記端末は、選択された各々ＣＳＩ−ＲＳリソースに対応するダウンリンクチャネル情報を合併し、プリコーディングマトリックス集合に基づき、合併後のダウンリンクチャネル情報に対しＣＱＩを測定し、選択された複数のＣＳＩ−ＲＳリソースに対応するジョイントＣＱＩを取得する。
【０００９】
好ましくは、前記端末は、選択されたＣＳＩ−ＲＳポート及び選択されたＣＳＩ−ＲＳポートに対応するプリコーディングマトリックス集合に基づき、ＣＱＩを測定する場合、
前記端末は、プリコーディングマトリックス集合に基づき、選択されたＣＳＩ−ＲＳポートに対応するダウンリンクチャネル情報に対しＣＱＩを測定し、選択されたＣＳＩ−ＲＳポートに対応するＣＱＩを取得し、または前記端末は、前記基地局により設定されたＣＳＩ−ＲＳリソースに対応するダウンリンクチャネル情報、及び選択されたＣＳＩ−ＲＳポートに対応するプリコーディングマトリックス集合に基づき、ＣＱＩを測定し、選択されたＣＳＩ−ＲＳポートに対応するＣＱＩを取得し、前記端末は、所定のＲＩ及びダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する。
【００１０】
好ましくは、前記端末は、前記ＲＩに基づき、選択されたＣＳＩ−ＲＳリソースまたはＣＳＩ−ＲＳポート数を確定する。
【００１１】
前記ＲＩは、前記端末が最後にフィードバックされたＲＩであり、または前記ＲＩは、基地局により前記端末に指示したものである。
【００１２】
好ましくは、端末は、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する場合、
前記端末は、前記基地局により設定されたＣＳＩ−ＲＳリソース集合内のＣＳＩ−ＲＳリソースまたはＣＳＩ−ＲＳポートに対応するダウンリンクチャネル情報に基づき、前記基地局により設定されたＣＳＩ−ＲＳリソースまたはＣＳＩ−ＲＳポートに対応する伝送性能情報を確定し、または、前記端末は、前記基地局により設定されたＣＳＩ−ＲＳリソース集合内のＣＳＩ−ＲＳリソースまたはＣＳＩ−ＲＳポートに対応するプリコーディングマトリックス集合と、ダウンリンクチャネル情報を計算し得た結果に基づき、前記基地局により設定されたＣＳＩ−ＲＳリソースまたはＣＳＩ−ＲＳポートに対応する伝送性能情報を確定し、前記端末は、確定された前記ＣＳＩ−ＲＳリソースまたはＣＳＩ−ＲＳポートに対応する伝送性能情報に基づき、基地局により設定されたＣＳＩ−ＲＳリソース集合から、約定したサブバンド上のＣＳＩ−ＲＳリソースまたはＣＳＩ−ＲＳポートを選択する。
【００１３】
ここで、選択されたＣＳＩ−ＲＳリソースの指示情報は、前記基地局により設定されたＣＳＩ−ＲＳリソース集合内の、選択されたＣＳＩ−ＲＳリソースのインデックスである。
【００１４】
ここで、選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または
選択されたＣＳＩ−ＲＳポートの指示情報は、事前設定のコードブック内の、選択されたＣＳＩ−ＲＳポートに対応するプリコーディングマトリックス集合のインデックスである。
【００１５】
好ましくは、選択されたＣＳＩ−ＲＳリソースに対応するプリコーディングマトリックス集合は、前記端末と基地局により事前約定されたものである。
【００１６】
好ましくは、選択されたＣＳＩ−ＲＳポートに対応するプリコーディングマトリックス集合内のプリコーディングマトリックスは、列選択ベクトル、または、列選択ベクトル・グループより構成され、前記列選択ベクトル内の１つのエレメントは１であり、他のエレメントは０であり、または選択されたＣＳＩ−ＲＳポートに対応するプリコーディングマトリックス集合は、列選択ベクトル及び位相集合、または、列選択ベクトル・グループ及び位相集合に基づいて得られたものであり、前記位相集合には１つ以上の位相因子が含まれ、１つの位相因子に基づいて、１つのプリコーディングマトリックス集合内の１つのプリコーディングマトリックスを取得する。
【００１７】
好ましくは、選択されたＣＳＩ−ＲＳポートに対応するプリコーディングマトリックス集合内のプリコーディングマトリックス内の１つの列ベクトルは、連結されたＭ個の列選択ベクトルより構成され、Ｍは選択されたＣＳＩ−ＲＳポート数と等しく、前記Ｍ個の列選択ベクトル内の値が１であるエレメエレメントに対応するポートは、選択されたＣＳＩ−ＲＳポートを構成し、Ｍは、１より大きいか等しい整数である。
【００１８】
ここで、列選択ベクトル及び位相集合に基づき、または、列選択ベクトル・グループ及び位相集合に基づき、前記プリコーディングマトリックス集合を取得する場合、１つの位相因子に基づいてエアられた位相マトリックス与前記列選択ベクトルまたは前記列選択ベクトル・グループ内の列選択ベクトルをＫｒｏｎｅｃｋｅｒ積算し、算出されたマトリックス内の列ベクトルより１つのプリコーディングマトリックスを構成し、前記約定したサブバンドにおいて、ｉ番目の物理リソースは、前記プリコーディングマトリックス集合内のｋ番目のプリコーディングマトリックスに対応し、ここで、k=i mod K ， i=0,1,2…Ｎ、k=0,1,2,3,…,K−1、Kは、プリコーディングマトリックス集合内のプリコーディングマトリックス数であり、Ｎはサブバンド内の物理リソース数であり、または、k=ceil(i/v) mod K、ここで、ceil(i/v) はi/vより小さくない最小整数を示し、v=ＲＩまたはvはアンテナポート数であり、i=0,1,2…Ｎ、k=0,1,2,3,…,K−1、Kは、プリコーディングマトリックス集合内のプリコーディングマトリックス数であり、Ｎはサブバンド内の物理リソース数である。
【００１９】
前記約定したサブバンドに１つ以上の物理リソースブロック（ＰＲＢ）が含まれる。
【００２０】
前記物理リソースは、リソースエレメント（ＲＥ）、サブキャリア、物理リソースブロック（ＰＲＢ）またはＰＲＢ集合であり、または、前記物理リソースは、データシンボルを伝送するためのＲＥ、サブキャリア、ＰＲＢまたはＰＲＢ集合である。
【００２１】
第２態様によれば、端末は、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する選択モジュールと、選択されたＣＳＩ−ＲＳリソースまたはＣＳＩ−ＲＳポート，及び選択されたＣＳＩ−ＲＳリソースまたはＣＳＩ−ＲＳポートに対応するプリコーディングマトリックス集合に基づき、チャネル品質インジケータ（ＣＱＩ）を測定する、前記プリコーディングマトリックス集合に１つ以上のプリコーディングマトリックスが含まれ、前記約定したサブバンド上の１つの物理リソースは、前記プリコーディングマトリックス集合内の１つのプリコーディングマトリックスに対応する測定モジュールと、前記ＣＱＩ及び選択されたＣＳＩ−ＲＳリソースまたはＣＳＩ−ＲＳポートの指示情報をフィードバックするフィードバックモジュールとを備える。
【００２２】
前記測定モジュールは、ダウンリンクチャネル情報、及び前記約定したサブバンド内の物理リソースに対応するプリコーディングマトリックスに基づき、ＣＱＩを測定し、前記プリコーディングマトリックスは、選択されたＣＳＩ−ＲＳリソースまたは選択されたＣＳＩ−ＲＩポートに対応するプリコーディングマトリックス集合内のプリコーディングマトリックスである。
【００２３】
好ましくは、前記選択モジュールは、基地局により設定されたＣＳＩ−ＲＳリソース集合から、約定したサブバンド上のＣＳＩ−ＲＳリソースを選択し、前記測定モジュールは、プリコーディングマトリックス集合に基づき、選択されたＣＳＩ−ＲＳリソースに対応するダウンリンクチャネル情報それぞれに対し、ＣＱＩを測定し、各々ＣＳＩ−ＲＳリソースに対応するＣＱＩを取得し、または選択された各々ＣＳＩ−ＲＳリソースに対応するダウンリンクチャネル情報を合併し、プリコーディングマトリックス集合に基づき、合併後のダウンリンクチャネル情報に対しＣＱＩを測定し、選択された複数のＣＳＩ−ＲＳリソースに対応するジョイントＣＱＩを取得する。
【００２４】
好ましくは、前記選択モジュールは、基地局により設定されたＣＳＩ−ＲＳリソース集合から、約定したサブバンド上のＣＳＩ−ＲＳポートを選択し、前記測定モジュールは、プリコーディングマトリックス集合に基づき、選択されたＣＳＩ−ＲＳポートに対応するダウンリンクチャネル情報に対しＣＱＩを測定し、選択されたＣＳＩ−ＲＳポートに対応するＣＱＩを取得し、または前記基地局により設定されたＣＳＩ−ＲＳリソースに対応するダウンリンクチャネル情報及び選択されたＣＳＩ−ＲＳポートに対応するプリコーディングマトリックス集合に基づき、ＣＱＩを測定し、選択されたＣＳＩ−ＲＳポートに対応するＣＱＩを取得する。
【００２５】
前記選択モジュールは、所定のＲＩ及びダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する。
【００２６】
前記選択モジュールは、前記ＲＩに基づき、選択されたＣＳＩ−ＲＳリソースまたはＣＳＩ−ＲＳポート数を確定する。
【００２７】
前記ＲＩは、前記端末が最後にフィードバックされたＲＩであり、または前記ＲＩは、基地局により前記端末に指示したものである。
【００２８】
さらに、前記選択モジュールは、
前記基地局により設定されたＣＳＩ−ＲＳリソース集合内のＣＳＩ−ＲＳリソースまたはＣＳＩ−ＲＳポートに対応するダウンリンクチャネル情報に基づき、前記基地局により設定されたＣＳＩ−ＲＳリソースまたはＣＳＩ−ＲＳポートに対応する伝送性能情報を確定し、または、前記基地局により設定されたＣＳＩ−ＲＳリソース集合内のＣＳＩ−ＲＳリソースまたはＣＳＩ−ＲＳポートに対応するプリコーディングマトリックス集合と、ダウンリンクチャネル情報を計算し得た結果に基づき、前記基地局により設定されたＣＳＩ−ＲＳリソースまたはＣＳＩ−ＲＳポートに対応する伝送性能情報を確定し、
確定された前記ＣＳＩ−ＲＳリソースまたはＣＳＩ−ＲＳポートに対応する伝送性能情報に基づき、基地局により設定されたＣＳＩ−ＲＳリソース集合から、約定したサブバンド上のＣＳＩ−ＲＳリソースまたはＣＳＩ−ＲＳポートを選択する。
【００２９】
ここで、選択されたＣＳＩ−ＲＳリソースの指示情報は、前記基地局により設定されたＣＳＩ−ＲＳリソース集合内の、選択されたＣＳＩ−ＲＳリソースのインデックスである。
【００３０】
ここで、選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または
選択されたＣＳＩ−ＲＳポートの指示情報は、事前設定のコードブック内の、選択されたＣＳＩ−ＲＳポートに対応するプリコーディングマトリックス集合のインデックスである。
【００３１】
好ましくは、選択されたＣＳＩ−ＲＳリソースに対応するプリコーディングマトリックス集合は、前記端末と基地局により事前約定されたものである。
【００３２】
好ましくは、選択されたＣＳＩ−ＲＳポートに対応するプリコーディングマトリックス集合内のプリコーディングマトリックスは、列選択ベクトル、または、列選択ベクトル・グループより構成され、前記列選択ベクトル内の１つのエレメントは１であり、他のエレメントは０であり、または選択されたＣＳＩ−ＲＳポートに対応するプリコーディングマトリックス集合は、列選択ベクトル及び位相集合、または、列選択ベクトル・グループ及び位相集合に基づいて得られたものであり、前記位相集合には１つ以上の位相因子が含まれ、１つの位相因子に基づいて、１つのプリコーディングマトリックス集合内の１つのプリコーディングマトリックスを取得する。
【００３３】
好ましくは、選択されたＣＳＩ−ＲＳポートに対応するプリコーディングマトリックス集合内のプリコーディングマトリックス内の１つの列ベクトルは、連結されたＭ個の列選択ベクトルより構成され、Ｍは選択されたＣＳＩ−ＲＳポート数と等しく、前記Ｍ個の列選択ベクトル内の値が１であるエレメエレメントに対応するポートは、選択されたＣＳＩ−ＲＳポートを構成し、Ｍは、１より大きいか等しい整数である。
【００３４】
ここで、列選択ベクトル及び位相集合に基づき、または、列選択ベクトル・グループ及び位相集合に基づき、前記プリコーディングマトリックス集合を取得する場合、１つの位相因子に基づいてエアられた位相マトリックス与前記列選択ベクトルまたは前記列選択ベクトル・グループ内の列選択ベクトルをＫｒｏｎｅｃｋｅｒ積算し、算出されたマトリックス内の列ベクトルより１つのプリコーディングマトリックスを構成する。
【００３５】
好ましくは、前記約定したサブバンドにおいて、ｉ番目の物理リソースは、前記プリコーディングマトリックス集合内のｋ番目のプリコーディングマトリックスに対応し、ここで、k=i mod Ｋ、i=０,１,２…Ｎ、k=０,１,２,３,…,Ｋ−１、Ｋは、プリコーディングマトリックス集合内のプリコーディングマトリックス数であり、Ｎはサブバンド内の物理リソース数であり、または、k=ceil(i/v) mod Ｋ，ここで、ceil(i/v)はi/vより小さくない最小整数を示し、v=ＲＩまたはvはアンテナポート数であり、i=０,１,２…Ｎ，k=０,１,２,３,…,Ｋ−１，Ｋは、プリコーディングマトリックス集合内のプリコーディングマトリックス数であり、Ｎはサブバンド内の物理リソース数である。
【００３６】
前記約定したサブバンドに１つ以上の物理リソースブロック（ＰＲＢ）が含まれる。
【００３７】
前記物理リソースは、リソースエレメント（ＲＥ）、サブキャリア、物理リソースブロック（ＰＲＢ）またはＰＲＢ集合であり、または、前記物理リソースは、データシンボルを伝送するためのＲＥ、サブキャリア、ＰＲＢまたはＰＲＢ集合である。
【００３８】
本発明に係る上記実施例において、端末は、まず、基地局により設定されたＣＳＩ−ＲＳリソース集合から、約定したサブバンド上のＣＳＩ−ＲＳリソースまたはＣＳＩ−ＲＳポートを選択する。そして、選択されたＣＳＩ−ＲＳリソースまたはＣＳＩ−ＲＳポートに対応するプリコーディングマトリックス集合内の複数のプリコーディングマトリックスをサブバンド内の異なる物理リソース上のプリコーディングマトリックスとして、ＣＱＩを測定し、測定し得たＣＱＩ及び選択されたＣＳＩ−ＲＳリソースまたはＣＳＩ−ＲＳポートの指示情報をフィードバックする。よって、プリコーディングマトリックス集合に基づき、約定したサブバンド内の異なる物理リソースに対し、対応するプリコーディングマトリックスを用いてＣＱＩを測定することは、１つのプリコーディングマトリックスのみに基づきＣＱＩを測定する従来技術と比較すれば、ＣＳＩとチャネル状態とのマッチングの程度を向上することができる。
【００３９】
第３態様によれば、プリコーディング方法及び装置を提供し、プリコーディング後のデータとチャネル状態のマッチングの程度を向上することができる。
【００４０】
本発明の１つの実施例に係るプリコーディング方法は、基地局は、端末からフィードバックされたチャネル品質インジケータ（ＣＱＩ）及び選択された約定したサブバンド上のＣＳＩ−ＲＳリソースまたはＣＳＩ−ＲＳポートの指示情報を受信するステップと、前記基地局は、前記ＣＱＩに基づき、ダウンリンク伝送のコーディング・変調方式を確定するステップと、前記基地局は、選択された約定したサブバンド上のＣＳＩ−ＲＳリソースまたはＣＳＩ−ＲＳポートの指示情報に基づき、対応するプリコーディングマトリックス集合及びビームフォーミングベクトルを確定するステップと、前記基地局は、確定されたプリコーディングマトリックス集合及びビームフォーミングベクトルに基づき、前記約定したサブバンド上の物理リソースにおいて伝送するデータに対しプリコーディングを行うステップとを備え、プリコーディング後のデータとチャネル状態のマッチングの程度を向上する。
【００４１】
好ましくは、前記に対応するプリコーディングマトリックス集合及びビームフォーミングベクトルは、前記基地局が選択された約定したサブバンド上のＣＳＩ−ＲＳリソースまたはＣＳＩ−ＲＳポートの指示情報に基づいて確定されたものである。
【００４２】
前記基地局は、確定されたプリコーディングマトリックス集合及びビームフォーミングベクトルに基づき、前記約定したサブバンド上の物理リソースにおいて伝送するデータに対しプリコーディングを行う場合、前記基地局は、確定された第１プリコーディングマトリックス集合内のプリコーディングマトリックスと、確定されたビームフォーミングベクトルとを計算し、プリコーディングするための第２プリコーディングマトリックス集合を取得し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、前記基地局は、前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行う。
【００４３】
好ましくは、前記に対応するプリコーディングマトリックス集合及びビームフォーミングベクトルは、前記基地局が選択された約定したサブバンド上のＣＳＩ−ＲＳポートの指示情報に基づいて確定されたものであり、前記基地局は、確定されたプリコーディングマトリックス集合及びビームフォーミングベクトルに基づき、前記約定したサブバンド上の物理リソースにおいて伝送するデータに対しプリコーディングを行う場合、前記基地局は、確定されたプリコーディングマトリックス集合内のプリコーディングマトリックス内の列選択ベクトルそれぞれを、列選択ベクトル各自に対応するビームフォーミングベクトルに替え、プリコーディングするための第２プリコーディングマトリックス集合を取得し、ここで、１つのプリコーディングマトリックス内の１つの列ベクトルは、Ｍ個の列選択ベクトルが連続されて構成され、列選択ベクトルそれぞれは１つのＣＳＩ−ＲＳポートに対応し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、Ｍは、１より大きいか等しい整数であり、前記基地局は、前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行う。
【００４４】
好ましくは、前記約定したサブバンドにおいて、ｉ番目の物理リソースは、前記第２プリコーディングマトリックス集合内のｋ番目のプリコーディングマトリックスに対応し、ここで、k=i mod K、ここで、i=0,1,2…Ｎ、k=0,1,2,3,…,K−1、Kは第２プリコーディングマトリックス集合内のプリコーディングマトリックス数であり、Ｎはサブバンド内の物理リソース数であり、または、k=ceil(i/v) mod K、ここで、ceil(i/v)はi/vより小さくない最小整数を示し、v=ＲＩまたはvはアンテナポート数であり、i=0,1,2…Ｎ、k=0,1,2,3,…,K−1、Kは第２プリコーディングマトリックス集合内のプリコーディングマトリックス数であり、Ｎはサブバンド内の物理リソース数である。
【００４５】
ここで、選択されたＣＳＩ−ＲＳリソースの指示情報は、前記基地局により設定されたＣＳＩ−ＲＳリソース集合内の、選択されたＣＳＩ−ＲＳリソースのインデックスである。
【００４６】
ここで、選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または選択されたＣＳＩ−ＲＳポートの指示情報は、事前設定のコードブック内の、選択されたＣＳＩ−ＲＳポートに対応するプリコーディングマトリックス集合のインデックスである。
【００４７】
第４態様によれば、基地局は、端末からフィードバックされたチャネル品質インジケータ（ＣＱＩ）及び選択された約定したサブバンド上のＣＳＩ−ＲＳリソースまたはＣＳＩ−ＲＳポートの指示情報を受信する受信モジュールと、前記ＣＱＩに基づき、ダウンリンク伝送のコーディング・変調方式を確定する第１確定モジュールと、選択された約定したサブバンド上のＣＳＩ−ＲＳリソースまたはＣＳＩ−ＲＳポートの指示情報に基づき、対応するプリコーディングマトリックス集合及びビームフォーミングベクトルを確定する第２確定モジュールと、確定されたプリコーディングマトリックス集合及びビームフォーミングベクトルに基づき、前記約定したサブバンド上の物理リソースにおいて伝送するデータに対してプリコーディングを行うプリコーディングモジュールとを備える。
【００４８】
前記に対応するプリコーディングマトリックス集合及びビームフォーミングベクトルは、前記第２確定モジュールが選択された約定したサブバンド上のＣＳＩ−ＲＳリソースまたはＣＳＩ−ＲＳポートの指示情報に基づいて確定されたものであり、。前記プリコーディングモジュールは、確定された第１プリコーディングマトリックス集合内のプリコーディングマトリックスと、確定されたビームフォーミングベクトルとを計算し、プリコーディングするための第２プリコーディングマトリックス集合を取得し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行う。
【００４９】
前記に対応するプリコーディングマトリックス集合及びビームフォーミングベクトルは、前記第２確定モジュールが選択された約定したサブバンド上のＣＳＩ−ＲＳポートの指示情報に基づいて確定されたものであり、前記プリコーディングモジュールは、確定されたプリコーディングマトリックス集合内のプリコーディングマトリックス内の列選択ベクトルそれぞれを、列選択ベクトル各自に対応するビームフォーミングベクトルに替え、プリコーディングするための第２プリコーディングマトリックス集合を取得し、ここで、１つのプリコーディングマトリックス内の１つの列ベクトルは、Ｍ個の列選択ベクトルが連続されて構成され、列選択ベクトルそれぞれは１つのＣＳＩ−ＲＳポートに対応し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、Ｍは、１より大きいか等しい整数であり、前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行う。
【００５０】
好ましくは、前記約定したサブバンドにおいて、ｉ番目の物理リソースは、前記第２プリコーディングマトリックス集合内のｋ番目のプリコーディングマトリックスに対応し、ここで、k=i mod Ｋ、i=０,１,２…Ｎ、k=０,１,２,３,…,Ｋ−１、Ｋは第２プリコーディングマトリックス集合内のプリコーディングマトリックス数であり、Ｎはサブバンド内の物理リソース数であり、または、k=ceil(i/v) mod Ｋ、ここで、ceil(i/v)はi/vより小さくない最小整数を示し、v=ＲＩまたはvはアンテナポート数であり、i=０,１,２…Ｎ、k=０,１,２,３,…,Ｋ−１、Ｋは第２プリコーディングマトリックス集合内のプリコーディングマトリックス数であり、Ｎはサブバンド内の物理リソース数であり、
ここで、選択されたＣＳＩ−ＲＳリソースの指示情報は、前記基地局により設定されたＣＳＩ−ＲＳリソース集合内の、選択されたＣＳＩ−ＲＳリソースのインデックスである。
【００５１】
ここで、選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または選択されたＣＳＩ−ＲＳポートの指示情報は、事前設定のコードブック内の、選択されたＣＳＩ−ＲＳポートに対応するプリコーディングマトリックス集合のインデックスである。
【発明の効果】
【００５２】
上記実施例によれば、基地局がプリコーディング処理を行うとき、端末からフィードバックされた選択されたＣＳＩ−ＲＳリソースまたはＣＳＩ−ＲＳポートの指示情報に基づき、に対応するプリコーディングマトリックス集合及びビームフォーミングベクトルを確定し、確定されたに対応するプリコーディングマトリックス集合及びビームフォーミングベクトルに基づき、約定したサブバンド上の物理リソースにおいて伝送するデータに対し、プリコーディングを行う。一態様によれば、上記実施例において、基地局は、プリコーディングマトリックス集合内のプリコーディングマトリックスに基づき、物理リソースそれぞれに対し、当該物理リソースに対応するプリコーディングマトリックスを用いてプリコーディングを行うため、１つのプリコーディングマトリックスのみに基づきプリコーディング処理を行う従来技術と比べ、プリコーディング後のデータは、チャネル状態とよりよくマッチングすることができるようになる。他の１つの態様によれば、基地局により異なるＣＳＩ−ＲＳリソースまたはＣＳＩ−ＲＳポートに送信するＣＳＩ−ＲＳに異なるビームフォーミングベクトルが用いられ、フォーミングする場合、基地局は、端末からフィードバックされたＣＳＩ−ＲＳリソースまたはＣＳＩ−ＲＳポートの指示情報に基づき、対応するビームフォーミングベクトルを確定することができ、異なる物理リソースにおいて、対応のビームフォーミングベクトル及びプリコーディングマトリックスを用いてプリコーディングを行うことより、従来技術と比べ、プリコーディング後のデータとチャネル状態のマッチングの程度をさらに向上し、ダウンリンク伝送性能を確保する。
【図面の簡単な説明】
【００５３】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】従来の技術における単一のユーザーを例とするＭＩＭＯシステムの構成図である。
【図２】従来の技術におけるＣＳＩ−ＲＳ測定メカニズムをべスとする伝送構成図である。
【図３】本発明の実施例に係るＣＳＩフィードバックのフローチャートである。
【図４】本発明の実施例に係るＣＳＩ−ＲＳポートとアンテナエレメントのマッピング関係を示す図である。
【図５】本発明の実施例に係るプリコーディングフローチャートである。
【図６】本発明の一実施例に係る端末の構成図である。
【図７】本発明の一実施例に係る基地局の構成図である。
【図８】本発明の他の１つの実施例係る端末の構成図である。
【図９】本発明の他の１つの実施例係る基地局の構成図である。
【発明を実施するための形態】
【００５４】
以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。  
【００５５】
LTEネットワークには、ＭＩＭＯ技術を用いてシステム容量を拡大し、スループットを向上する。図１は単一のユーザーを例とするＭＩＭＯシステム構成ブロック図である。送信端（例えば、基地局）及び受信端（例えば、端末）に複数のアンテナがある。送信端において、入力されたシリアルコードストリームは、一連の前処理（例えば、変調、コーディング、重み付け、およびマッピング）を介していくつかの並列の別個のコードサブストリームに変換され、異なる送信アンテナにより送信される。受信端において、送信アンテナ数により少なくないアンテナグループを介して受信し、かつ、推定されたチャネル伝送と送信されたコードサブストリームとの間の所定のコーディング関係にしたがって、多経路受信信号を、空間領域及び時間領域において処理し、こうして、いくつかの送信サブコードストリームを分離し、シリアルデータに変換して出力する。
【００５６】
しかしながら、容量が拡張されるにつれて、チャネルマトリックス内のチャネル間の相関のために干渉も高くなる。端末の実施の複雑さがチャネル間の干渉の影響を受けるのを軽減し、またシステムのオーバヘッドを低減し、ＭＩＭＯシステムの容量を可能な限り改善するために、プリコーディングは、既存の技術に導入される。
【００５７】
ＬＴＥ Ｒｅｌ-８システムには、スペクトル効率を改善するために閉ループプリコーディングが導入されている。コードブックと呼ばれるプリコーディングマトリクスの同じセットは、閉ループプリコーディングに必要とされるように基地局と端末の両方に格納される。端末端末がセル共通パイロットを使用してチャネル情報を推定した後、所定規則に従ってコードブックから１つの个プリコーディングマトリックスを選出し、コードブック内の前記プリコーディングマトリックスのインデックスを、アップリンクチャネルを介して、基地局にフィードバックし、当該インデックスをＰＭＩ（Ｐｒｅｃｏｄｉｎｇ Ｍａｔｒｉｘ Ｉｎｄｉｃａｔｏｒ，プリコーディングマトリックス指示子）とする。基地局は、受信したＰＭＩに基づき、端末に用いられたプリコーディングマトリックスを確定する。端末は、ＰＭＩを報告するともに、対応のＲＩ（Ｒａｎｋ Ｉｎｄｉｃａｔｏｒ，ランク指示子）及びＣＱＩ（Ｃｈａｒｔｅｒｅｄ Ｑｕａｌｉｔｙ Ｉｎｄｉｃａｔｏｒ，チャネル・クオリティ指示子）も報告することにより、基地局が、ダウンリンク伝送のコードワード数、伝送レイヤの数及び各々コードワードに用いられるＭＣＳ（Ｍｏｄｕｌａｔｉｏｎ ａｎｄ Ｃｏｄｉｎｇ Ｓｃｈｅｍｅ，コーディング・変調方式）を確定することができるようになる。
【００５８】
ＬＴＥネットワークのさらなる進展とともに、ＬＴＥネットワークは、より多くのアンテナポート（例えば、８アンテナ）をサポートし、ＭＩＭＯ技術メリットをより発揮するため、パイロットの構成も変わった。ダウンリンクパイロットは、ＤＭＲＳ（Ｄｅｍｏｄｕｌａｔｉｏｎ ｒｅｆｅｒｅｎｃｅ Ｓｉｇｎａｌ）及びＣＳＩ−ＲＳ（Ｃｈａｎｎｅｌ Ｓｔａｔｅ Ｉｎｄｉｃａｔｉｏｎ ｒｅｆｅｒｅｎｃｅ Ｓｉｇｎａｌ，ＣＳＩ−ＲＳ）を含む、それぞれ変調及びチャネル測定に用いられる。ＣＳＩ−ＲＳは、ダウンリンクリンクのチャネル推定及びプリコーディングマトリックスの選択に用いられ、端末はＣＳＩ−ＲＳを測定してＣＱＩ、ＰＭＩまたはＲＩなどの報告情報を生成する。
【００５９】
図２は、現在ＣＳＩ−ＲＳ測定メカニズムをベースとする無線ネットワークの構成図であり、基地局２０１と、端末２０２と、無線リンク２０３とを備える。端末２０２及び基地局２０１に複数のアンテナがある。端末２０２は、基地局２０１により送信されたＣＳＩ−ＲＳに基づきＣＳＩ（Ｃｈａｎｎｅｌ Ｓｔａｔｅ Ｉｎｄｉｃａｔｉｏｎ，チャネル状態情報）測定を行い、測定し得たＣＳＩを無線リンク２０３を介して、基地局２０１にフィードバックする。ＣＳＩには、基地局と端末の間の無線通信チャネル・クオリティを示すＣＱＩと、送信される信号を整形するための好ましいプリコーディングマトリックスを示すＰＭＩと、端末によって好まれるデータチャネルの有用な送信層の数を示すＲＩと、推定チャネル係数とのうちの１つまたは複数の情報が含まれる。基地局２０１は、端末２０２によりフィードバックされたＣＳＩに基づき、ダウンリンクデータ伝送のため、プリコーディングマトリックス及びコーディング・変調方式を選択する。端末２０２からフィードバックさらたＣＳＩは、基地局２０１に適切な伝送案を設定してカバレージ、ユーザーデータ伝送レートを改善するか、または基地局２０２へのさらなる送信のためにチャネル品質をより正確に予測できるようにさせる。
【００６０】
従来のＭＩＭＯフィードバックメカニズムのＣＳＩフィードバックに遅延が酷く、端末からフィードバックされたＣＳＩが現在のチャネルとマッチングできず、性能が大きく低下し、伝送効率が保証されず、高速での移動性のシナリオで特に厳しい。よって、業界では、端末からフィードバックされたＣＳＩと実のチャネル状態のマッチングの程度を向上することが非常に望ましい。
【００６１】
端末からフィードバックされたＣＳＩとチャネル状態とのマッチングの程度を向上するため、本発明の実施例に係るＣＳＩのフィードバックは、ダウンリンクＭＩＭＯ伝送に適用でｋる。本発明に係る実施例では、端末がＣＳＩを測定する場合、基地局により設定されたＣＳＩ−ＲＳリソース集合から、約定したサブバンド上のＣＳＩ−ＲＳリソースまたはＣＳＩ−ＲＳポートを選択する。これは、ビームフォーミングベクトル（またはビームフォーミングベクトルグループ）を選択し、選択されたＣＳＩ−ＲＳリソースまたはＣＳＩ−ＲＳポートに対応するプリコーディングマトリックス集合内の複数のプリコーディングマトリックスをサブバンド内の異なる物理リソース上のプリコーディングマトリックスとして、ＣＱＩを測定し、測定し得たＣＱＩ及び選択されたＣＳＩ−ＲＳリソースまたはＣＳＩ−ＲＳポートの指示情報をフィードバックすることに相当する。こうして、ＣＳＩとチャネル状態とのマッチングの程度を向上する。
【００６２】
以下、図面を参照しながら、本発明に係る実施例を詳しく説明する。
【００６３】
図３に示す流れを把握するため、まず、図３の流れに現れた技術用語を説明する。
【００６４】
サブバンド（ｓｕｂｂａｎｄ）：ＬＴＥシステムにおける物理レイヤフィードバックチャネル情報の周波数領域の粒度単位である。システム帯域幅は、いくつかのサブバンドに分割されることができ、例えば、システム帯域幅に応じて、サブバンドのサイズは、４、６または８など複数のＰＲＢであることができる。
【００６５】
約定したサブバンド：帯域幅サイズが約定されたサブバンドである。本発明に係る実施例において、約定したサブバンドに１つ以上のＰＲＢ（Ｐｈｙｓｉｃａｌ Ｒｅｓｏｕｒｃｅ Ｂｌｏｃｋ，物理リソースブロック）が含まれ、または約定したサブバンドの幅はシステム帯域幅である。帯域幅サイズは、端末と基地局により事前に約定することができる。
【００６６】
ＣＳＩ−ＲＳリソース：例えば、ＣＳＩ-ＲＳポートの数、周期、開始位置、パイロット構造のタイプ、サブフレーム内位置識別子などの１セットのＣＳＩ-ＲＳリソース構成パラメータの完全なセットを表す。基地局は、設定したＣＳＩ−ＲＳリソースにおいて、ＣＳＩ−ＲＳ信号をビームフォーミングした後に端末に送信し、ここで、異なるＣＳＩ−ＲＳリソースに異なるビームフォーミング加重値でフォーミングする。
【００６７】
ＣＳＩ−ＲＳポート：１つのＣＳＩ−ＲＳリソースに複数のＣＳＩ−ＲＳポートが設定され、例えば、１つのＣＳＩ−ＲＳリソース内のＣＳＩ−ＲＳポート数は、２，４または８などであることができる。基地局は、設定したＣＳＩ−ＲＳリソースにおいて、ＣＳＩ−ＲＳ信号をビームフォーミングした後に端末に送信し、ここで、異なるＣＳＩ−ＲＳポートに異なるビームフォーミング加重値でフォーミングする。
【００６８】
ＣＳＩ−ＲＳポートグループ：１つのＣＳＩ−ＲＳリソースに対し設定した複数のＣＳＩ−ＲＳポートをグルーピング方式でグルーピングして、ＣＳＩ−ＲＳポートグループを取得する。ＣＳＩ−ＲＳポートグループに少なくとも１つのＣＳＩ−ＲＳポートが含まれる。実施例において、グルーピング方式は基地局から端末に通知されるか、または、基地局と端末により事前に約定することができる。基地局は、設定したＣＳＩ−ＲＳリソースにおいて、ＣＳＩ−ＲＳ信号をビームフォーミングした後に端末に送信し、ここで、異なるＣＳＩ−ＲＳポートグルーに異なるビームフォーミング加重値でフォーミングし、同一のＣＳＩ−ＲＳポートグループ内の異なるＣＳＩ−ＲＳポートに同様なビームフォーミング加重値でフォーミングすることができる。
【００６９】
例えば、約定したグルーピング方式で、端末は、ＣＳＩ−ＲＳリソース内の設定されたＮ個のＣＳＩ−ＲＳポートをＮ/２個のグループに分け、グループごとに２個のＣＳＩ−ＲＳポートがあり、ｉ番目のＣＳＩ−ＲＳポートグループに含まれるＣＳＩ−ＲＳポートインデックスは{i,i+Ｎ/２}である。
【００７０】
物理リソース：本発明に係る実施例において、異なる物理リソースは、異なる時間領域リソースであってもよく、異なる周波数領域リソースであってもよい。または、異なる時間領域のリソースの組み合わせであってもよい。具体的に、帯域幅サイズ内の物理リソース（例えば、リソースユニット（Ｒｅｓｏｕｒｃｅ Ｅｌｅｍｅｎｔ，ＲＥ）、サブキャリア、ＰＲＢまたは、ＰＲＢ集合、または、データシンボルを伝送するＲＥ、サブキャリア、ＰＲＢまたはＰＲＢ集合）である。
【００７１】
図３は本発明の実施例に係るＣＳＩのフィードバック方法のフローチャートである。当該フローチャート端末より実施する。
【００７２】
図３に示すように、当該フローチャートは以下のステップを備える。
【００７３】
ステップ３０１において、端末は、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する。
【００７４】
ここで、基地局は、端末に、ＣＳＩ−ＲＳリソース設定に関する情報を送信する。具体的に、基地局は、設定したＣＳＩ−ＲＳリソースにおいて、ＣＳＩ−ＲＳ信号をビームフォーミングした後に端末に送信する。異なるＣＳＩ−ＲＳリソース、１つのＣＳＩ−ＲＳリソース内の異なるポート、１つのＣＳＩ−ＲＳリソース内の異なるポートグループ、または異なるＣＳＩ−ＲＳリソース内の異なるポートグループは、異なるビームフォーミング加重値でフォーミングすることができる。
【００７５】
例えば、基地局により設定されたＣＳＩ−ＲＳリソース集合に４個のＣＳＩ−ＲＳリソースが含まれ、各ＣＳＩ−ＲＳリソースにおいて異なるビームフォーミング加重値でフォーミングし、また、端末は、ステップ３０１において、基地局により設定されたＣＳＩ−ＲＳリソース集合からＣＳＩ−ＲＳリソースを選択するプロセスは、ビーム選択プロセスに相当する。
【００７６】
また、例えば、基地局により設定されたＣＳＩ−ＲＳリソース集合に、８個のＣＳＩ−ＲＳポートを有するＣＳＩ−ＲＳリソース１つのが含まれる。ＣＳＩ−ＲＳリソース内の各ＣＳＩ−ＲＳポートは、異なるビームフォーミング加重値でフォーミングし、また、端末は、ステップ３０１において基地局により設定された当該ＣＳＩ−ＲＳリソースからＣＳＩ−ＲＳポートを選択するプロセスは、ビーム選択プロセスに相当する。
【００７７】
また、例えば、基地局により設定されたＣＳＩ−ＲＳリソース集合に、８個のＣＳＩ−ＲＳポートを有するＣＳＩ−ＲＳリソース１つのが含まれる。当該ＣＳＩ−ＲＳリソース内の８個のＣＳＩ−ＲＳポートそれぞれは、４個のＣＳＩ−ＲＳポートグループである。各ＣＳＩ−ＲＳポートグループは、異なるビームフォーミング加重値でフォーミングし、また、端末は、ステップ３０１において、ＣＳＩ−ＲＳポートグループ（即ち、複数のＣＳＩ−ＲＳポートを選択する）を選択するプロセスは、ビーム選択プロセスに相当する。
【００７８】
また、例えば、基地局により設定されたＣＳＩ−ＲＳリソース集合に、８個のＣＳＩ−ＲＳポートを有するＣＳＩ−ＲＳリソース４つがあり、各ＣＳＩ−ＲＳリソース内のＣＳＩ−ＲＳポートは、４個のＣＳＩ−ＲＳポートグループに分けられる。各ＣＳＩ−ＲＳリソースにおいて異なるビームフォーミング加重値でフォーミングし、同時に、各ＣＳＩ−ＲＳリソース内のＣＳＩ−ＲＳポートグループは、異なるビームフォーミング加重値でフォーミングする。即ち、１６個のＣＳＩ−ＲＳポートグループそれぞれ１６個の異なるビームフォーミング加重値でフォーミングし、また、端末は、ステップ３０１において、ＣＳＩ−ＲＳリソース及びＣＳＩ−ＲＳポートグループ（即ち、選択複数のＣＳＩ−ＲＳポート）を選択するプロセスは、ビーム選択プロセスに相当する。
【００７９】
ここで、１つのフォーミング後のＣＳＩ−ＲＳポートは、一部のアンテナエレメントにマッピングしてもよく、全部のアンテナエレメントにマッピングしてもよい。例えば、２個のＣＳＩ−ＲＳポートをゆするＣＳＩ−ＲＳポートグループ内の１つのＣＳＩ−ＲＳポートを、１つの偏光方向に対応する全部のアンテナエレメントにマッピングし、たの１つのＣＳＩ−ＲＳポートを他の１つの偏光方向に対応する全部のアンテナエレメントにマッピングする。
【００８０】
例えば、基地局に総計４個のアンテナが配置され、かつ１つのＣＳＩ−ＲＳリソースに４個のＣＳＩ−ＲＳポートが含まれ、これらのＣＳＩ−ＲＳポートは２グループに分けられる。２つのＣＳＩ−ＲＳグループに含まれるＣＳＩ−ＲＳポートそれぞれは、{０,２}及び{１,３}である。ＣＳＩ−ＲＳポートとアンテナエレメントのマッピング関係は、図４に示す。ここで、フォーミングマトリックスWi,jは、ｉ番目のＣＳＩ−ＲＳポートグループのＣＳＩ−ＲＳポートが、当該ＣＳＩ−ＲＳポート所在の偏光方向上のj番目のアンテナエレメントにおいて用いられるフォーミング加重値を示す。各ＣＳＩ−ＲＳポートがフォーミングされ後、各自のポートの物理リソースにおいて、ＣＳＩ−ＲＳ信号を送信する。
【００８１】
端末は、基地局が送信したＣＳＩ−ＲＳ信号に基づきダウンリンクチャネル情報を取得し、かつ、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する。
【００８２】
さらに、端末は、所定のＲＩ及びダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する。
【００８３】
ここで、端末は、所定のＲＩに基づき、選択されたＣＳＩ−ＲＳリソースまたはＣＳＩ−ＲＳポート数を確定する。本発明の一部の実施例において、上記ＲＩは、端末が最後にフィードバックしたＲＩであるか、または、基地局により端末に指示したものである。
【００８４】
具体的に、上記基地局により設定されたＣＳＩ−ＲＳリソース集合の異なる状況に応じて、ステップ３０１において、端末がＣＳＩ−ＲＳリソースまたはＣＳＩ−ＲＳポートを選択するのは、以下の何種の状況がある。
【００８５】
＜状況１＞基地局により設定されたＣＳＩ−ＲＳリソース集合に複数のＣＳＩ−ＲＳリソースが含まれ、端末は、基地局により設定されたＣＳＩ−ＲＳリソース集合から、約定したサブバンド上の１つ以上のＣＳＩ−ＲＳリソース（即ち、全部のＣＳＩ−ＲＳリソースから１つ以上のＣＳＩ−ＲＳリソースを選択する）を選択する。
【００８６】
＜状況２＞基地局により設定されたＣＳＩ−ＲＳリソース集合に、複数のポートを有するＣＳＩ−ＲＳリソース１つが含まれる。端末は、基地局により設定されたＣＳＩ−ＲＳリソース集合から、（即ち、複数のポートを有するＣＳＩ−ＲＳリソース）約定したサブバンド上の１つ以上のＣＳＩ−ＲＳポート（即ち、全部のＣＳＩ−ＲＳポートから１つ以上のＣＳＩ−ＲＳポートを選択する）を選択。
【００８７】
＜状況３＞基地局により設定されたＣＳＩ−ＲＳリソース集合に、複数のポートを有するＣＳＩ−ＲＳリソース１つが含まれる。ポートは、グルーピング方式でグルーピングされた。端末は、基地局により設定されたＣＳＩ−ＲＳリソース集合から、（即ち、当該複数のＣＳＩ−ＲＳポートを有するＣＳＩ−ＲＳリソースから）約定したサブバンド上の１つ以上のＣＳＩ−ＲＳポートグループ（即ち、全部のＣＳＩ−ＲＳポートから約定したサブバンド上の複数のＣＳＩ−ＲＳポートを選択）を選択する。
【００８８】
＜状況４＞基地局により設定されたＣＳＩ−ＲＳリソース集合複数のポートを有するＣＳＩ−ＲＳリソース複数が含まれる。また、各ＣＳＩ−ＲＳリソース内のポート、グルーピング方式でグルーピングされた。端末は、基地局により設定されたＣＳＩ−ＲＳリソース集合から（即ち、複数のポートを有する複数のＣＳＩ−ＲＳリソースから）約定したサブバンド上の１つ以上のＣＳＩ−ＲＳリソース及び各ＣＳＩ−ＲＳリソース内の１つ以上のＣＳＩ−ＲＳポートグループ（即ち、全部のＣＳＩ−ＲＳポートから約定したサブバンド上の複数のＣＳＩ−ＲＳポートを選択する）を選択する。
【００８９】
したがって、上記４種の状況の説明によれば、基地局により設定されたＣＳＩ−ＲＳリソース集合が異なる場合、端末は、基地局により設定されたＣＳＩ−ＲＳリソース集合から、約定したサブバンド上のＣＳＩ−ＲＳリソースまたはＣＳＩ−ＲＳポートを選択するのは、以下の２種がある。端末は、基地局により設定されたＣＳＩ−ＲＳリソース集合内の全部のＣＳＩ−ＲＳリソースから、約定したサブバンド上のＣＳＩ−ＲＳリソースを選択し、または、端末は、基地局により設定されたＣＳＩ−ＲＳリソース集合内の全部のＣＳＩ−ＲＳポートから、約定したサブバンド上のＣＳＩ−ＲＳポートを選択する。
【００９０】
以下上記の状況１及び状況２を例とし、端末が基地局により設定されたＣＳＩ−ＲＳリソース集合から約定したサブバンド上のＣＳＩ−ＲＳリソースを選択するプロセス、及び端末が、基地局により設定されたＣＳＩ−ＲＳリソース集合から約定したサブバンド上のＣＳＩ−ＲＳポートを選択するプロセスそれぞれを説明する。
【００９１】
状況１（基地局により設定されたＣＳＩ−ＲＳリソース集合に複数のＣＳＩ−ＲＳリソースが含まれ、端末はそのうちから１つ以上のＣＳＩ−ＲＳリソースを選択）の場合、端末は、ダウンリンクチャネル情報に基づき、以下の方式で基地局により設定されたＣＳＩ−ＲＳリソース集合から、約定したサブバンド上のＣＳＩ−ＲＳリソースを選択する。
【００９２】
端末は、基地局により設定されたＣＳＩ−ＲＳリソース集合内のＣＳＩ−ＲＳリソースに対応するダウンリンクチャネル情報に基づき、基地局により設定されたＣＳＩ−ＲＳリソースに対応する伝送性能情報を確定し、そして、確定されたＣＳＩ−ＲＳリソースに対応する伝送性能情報に基づき、基地局により設定されたＣＳＩ−ＲＳリソース集合から、約定したサブバンド上のＣＳＩ−ＲＳリソースを選択する。
【００９３】
または、端末は、基地局により設定されたＣＳＩ−ＲＳリソース集合内のＣＳＩ−ＲＳリソースに対応するプリコーディングマトリックス集合と、ダウンリンクチャネル情報を計算し得た結果に基づき、基地局により設定されたＣＳＩ−ＲＳリソースに対応する伝送性能情報を確定し、そして、確定されたＣＳＩ−ＲＳリソースに対応する伝送性能情報に基づき、基地局により設定されたＣＳＩ−ＲＳリソース集合から、約定したサブバンド上のＣＳＩ−ＲＳリソースを選択する。
【００９４】
ここで、ＣＳＩ−ＲＳリソースに対応するプリコーディングマトリックス集合は、端末と基地局により事前に約定したものである。
【００９５】
具体的に、端末と基地局は、複数の同様なプリコーディングマトリックス集合を含むコードブックを事前に設定する。ここで、端末は、選択された各ＣＳＩ−ＲＳリソースに含まれるＣＳＩ−ＲＳポート数、または全部の選択されたＣＳＩ−ＲＳリソースに含まれるＣＳＩ−ＲＳポート総数、及び現在伝送レイヤ数（Ｒａｎｋ）仮説に基づき、対応するプリコーディングマトリックス集合を確定する。例えば、プリコーディングマトリックス集合内のプリコーディングマトリックスの行数は選択された各ＣＳＩ−ＲＳリソースに含まれるＣＳＩ−ＲＳポート数に等しいが、または全部の選択されたＣＳＩ−ＲＳリソースに含まれるＣＳＩ−ＲＳポート総数に等しい。プリコーディングマトリックスの列数は現在伝送レイヤ数（Ｒａｎｋ）仮説に等しい。
【００９６】
例えば、ＣＳＩ−ＲＳリソースに対応するプリコーディングマトリックス集合の１つの例として、
Ｒａｎｋ=１プリコーディングマトリックス集合は、
【数１】
2019510419.tif 000003
である。
【００９７】
Ｒａｎｋ=２プリコーディングマトリックス集合は、
【数２】
2019510419.tif 000004
であるか、または
【数３】
2019510419.tif 000005
または
【数４】
2019510419.tif 000006
である。
【００９８】
Ｒａｎｋ=３プリコーディングマトリックス集合は、
【数５】
2019510419.tif 000007
または
【数６】
2019510419.tif 000008
である。
【００９９】
Ｒａｎｋ=４プリコーディングマトリックス集合は、
【数７】
2019510419.tif 000009
または
【数８】
2019510419.tif 000010
である。
【０１００】
本発明の一部の実施例において、端末は、所定のＲＩに基づき、選択されたＣＳＩ−ＲＳリソース数を確定する。
【０１０１】
例えば、以下規則のうちのいずれかにより、選択されたＣＳＩ−ＲＳリソース数を確定する。選択されたＣＳＩ−ＲＳリソース数がＲＩが示すダウンリンク伝送レイヤ数Ｒａｎｋに等しい。選択された各ＣＳＩ−ＲＳリソースそれぞれにおいてＣＳＩを測定し得たＲａｎｋの和は、ＲＩが示すＲａｎｋに等しい。選択されたＣＳＩ−ＲＳリソースに対応するチャネル情報を合併してＣＳＩ測定を行う場合のＲａｎｋは、ＲＩが示すＲａｎｋに等しいなど。
【０１０２】
状況２（基地局により設定されたＣＳＩ−ＲＳリソース集合に、複数のＣＳＩ−ＲＳポートを有するＣＳＩ−ＲＳリソース１つが含まれ、端末は、全部のＣＳＩ−ＲＳポートから１つ以上のＣＳＩ−ＲＳポートを選択する）の場合、端末は、ダウンリンクチャネル情報に基づき、以下の方式で、基地局により設定されたＣＳＩ−ＲＳリソース集合から約定したサブバンド上のＣＳＩ−ＲＳポートを選択する。
【０１０３】
端末は、基地局により設定されたＣＳＩ−ＲＳリソース集合内のＣＳＩ−ＲＳポートに対応するダウンリンクチャネル情報に基づき、基地局により設定されたＣＳＩ−ＲＳポートに対応する伝送性能情報を確定し、そして、確定されたＣＳＩ−ＲＳポートに対応する伝送性能情報に基づき、基地局により設定されたＣＳＩ−ＲＳリソース集合から約定したサブバンド上のＣＳＩ−ＲＳポートを選択する。
【０１０４】
または、端末は、基地局により設定されたＣＳＩ−ＲＳリソース集合内のＣＳＩ−ＲＳポートに対応するプリコーディングマトリックス集合と、ダウンリンクチャネル情報を計算し得た結果に基づき、基地局により設定されたＣＳＩ−ＲＳポートに対応する伝送性能情報を確定し、そして、確定されたＣＳＩ−ＲＳポートに対応する伝送性能情報に基づき、基地局により設定されたＣＳＩ−ＲＳリソース集合から約定したサブバンド上のＣＳＩ−ＲＳポートを選択する。
【０１０５】
ここで、ＣＳＩ−ＲＳポートに対応するプリコーディングマトリックス集合は、端末と基地局により事前に約定することができる。
【０１０６】
具体的に、端末及び基地局は、複数のプリコーディングマトリックス集合を同様なコードブック複数を事前設定する。端末は、選択されたＣＳＩ−ＲＳポート数、及び現在伝送レイヤ数（Ｒａｎｋ）仮説に基づき、対応するプリコーディングマトリックス集合を確定する。
【０１０７】
具体的に、事前設定のコードブックは、端末が事前設定の規則により生成されたものである。
【０１０８】
ＣＳＩ−ＲＳポートに対応するプリコーディングマトリックス集合内のプリコーディングマトリックスは、列選択ベクトル
【数９】
2019510419.tif 000011
より構成される。前記列選択ベクトル
【数１０】
2019510419.tif 000012
は、ｉ番目のエレメントが１他のエレメントは０であるベクトルである。
【０１０９】
具体的に、Ｍ個のＣＳＩ−ＲＳポートに対応するプリコーディングマトリックス集合内のプリコーディングマトリックス内の１つの列ベクトルは、Ｍ個の列選択ベクトル
【数１１】
2019510419.tif 000013
（Ｍ=１のとき列選択ベクトルであり、Ｍが１より大きいとき列選択ベクトル・グループである）が連続ｓれて構成されることができる。列選択ベクトル
【数１２】
2019510419.tif 000014
内の値が１であるエレメエレメントは、１つのＣＳＩ−ＲＳポートに対とし、列選択ベクトル
【数１３】
2019510419.tif 000015
内の、１である当該エレメント位置は、ＣＳＩ−ＲＳポートの識別子を示す。Ｍ個の列選択ベクトル内の値が１であるエレメエレメントに対応するＣＳＩ−ＲＳポートグループは、ＣＳＩ−ＲＳポートとなる。Ｍは、１より大きいか等しい整数である。
【０１１０】
１つのＣＳＩ−ＲＳポートグループに含まれるＣＳＩ−ＲＳポート数が当該ＣＳＩ−ＲＳポートグループに対応するプリコーディングマトリックス１つの列ベクトルに含まれる列選択ベクトル数に等しい。１つのプリコーディングマトリックス集合内の各列選択ベクトル内の値が１であるエレメエレメントに対応するポートグループは、当該プリコーディングマトリックス集合に対応するＣＳＩ−ＲＳポート（１つ以上の）となり、よって、選択されたＣＳＩ−ＲＳポートに対応する列選択ベクトルまたは列選択ベクトル・グループにより生成したプリコーディングマトリックスを、プリコーディングすることにより、ＣＳＩ−ＲＳポートを選択する機能を実現する。
【０１１１】
例えば、列選択ベクトル・グループ
【数１４】
2019510419.tif 000016
の長がＭであり、i=０,１,２,..,Ｍ−１、
【数１５】
2019510419.tif 000017
プリコーディングマトリックスは、列選択ベクトル・グループ
【数１６】
2019510419.tif 000018
より直接に構成される。
【０１１２】
【数１７】
2019510419.tif 000019
【０１１３】
具体的に、ＣＳＩ−ＲＳポートに対応するプリコーディングマトリックス集合内のプリコーディングマトリックスは、列選択ベクトル
【数１８】
2019510419.tif 000020
により得られるか、または、列選択ベクトル・グループ
【数１９】
2019510419.tif 000021
により得られる。
【０１１４】
ここで、位相集合
【数２０】
2019510419.tif 000022
が含まれｒ、１つの位相因子
【数２１】
2019510419.tif 000023
に基づき１つのプリコーディングマトリックス集合内の１つのプリコーディングマトリックスを得る。１つの列選択ベクトル
【数２２】
2019510419.tif 000024
または１つの列選択ベクトル・グループ
【数２３】
2019510419.tif 000025
及び位相集合内の異なる位相因子に基づき、１つのプリコーディング集合内の異なるプリコーディングマトリックスを得ることができる。
【０１１５】
本発明の一部の好ましい実施例において、位相集合は、端末と基地局により事前に約定したものである。好ましい位相集合は、
【数２４】
2019510419.tif 000026
である。ここで、nはＮより小さくな負でない整数であり、Ｎは集合サイズである。
【０１１６】
【数２５】
2019510419.tif 000027
【０１１７】
さらに、１つの位相因子
【数２６】
2019510419.tif 000028
に基づいて得られた位相マトリックスと、前記列選択ベクトル
【数２７】
2019510419.tif 000029
または列選択ベクトル・グループ
【数２８】
2019510419.tif 000030
とを、Ｋｒｏｎｅｃｋｅｒ積算し、算出されたマトリックス内の列ベクトルより１つのプリコーディングマトリックスを構成する。
【０１１８】
ここで、位相マトリックスは、
【数２９】
2019510419.tif 000031
または
【数３０】
2019510419.tif 000032
または
【数３１】
2019510419.tif 000033
である。
【０１１９】
例えば、プリコーディングマトリックスは、位相マトリックス
【数３２】
2019510419.tif 000034
のＫｒｏｎｅｃｋｅｒ積より構成される。即ち、プリコーディングマトリックス集合内のプリコーディングマトリックスは、以下列マトリックスまたは以下列マトリックスからL列を取って得られたものであり、Lは現在仮説したＲａｎｋである。
【０１２０】
【数３３】
2019510419.tif 000035
【０１２１】
さらに、本発明の一部の実施例において、基地局が端末のためにＣＳＩ−ＲＳポートのグルーピング方式をしたとすれば、例えば、基地局は、高位層シグナリングにより端末に通知するか、または、基地局と端末が事前に約定するかなど。端末は、グルーピング方式で基地局により設定されたＣＳＩ−ＲＳリソース内のＣＳＩ−ＲＳポートをグルーピングし、グルーピング後の結果により、ＣＳＩ−ＲＳポートを選択する。ここで、好ましい方式は、１つのＣＳＩ−ＲＳポートグループを単位とし、上記選択ＣＳＩ−ＲＳポートの選択方法に従って選択する。具体的に、選択ＣＳＩ−ＲＳポートは複数の状況がある。例えば、列選択ベクトル・グループよりＣＳＩ−ＲＳポートグループに対応するプリコーディングマトリックス集合を構成する。前記列選択ベクトル・グループ内の各列選択ベクトルは、ＣＳＩ−ＲＳポートグループ内の１つのＣＳＩ−ＲＳポートに対応する。
【０１２２】
例えば、端末は、グルーピング方式で基地局により設定されたＣＳＩ−ＲＳリソースないのＮ個のＣＳＩ−ＲＳポートをＮ/２グループに分け、グループごとにＣＳＩ−ＲＳポートがある。ｉ番目のポートグループに含まれるアンテナポートインデックスは、{i, i+Ｎ/２}である。端末は、上記ＣＳＩ−ＲＳポートを選択する方法でＣＳＩ−ＲＳポートグループを選択する。基地局が二重偏光アンテナアレイを採用すれば、各偏光アンテナグループは、１つのＣＳＩ−ＲＳポートグループ内の１つのポートに対応する。異なるポートグループは、異なるビームでフォーミングすることができ、１つのポートグループ内のビームフォーミングは同様である。
【０１２３】
本発明の一部の実施例において、端末は、基地局により設定されたグルーピング方式または基地局により設定されたＲＩに基づき、ＣＳＩ−ＲＳリソースまたはＣＳＩ−ＲＳポートを選択することができる。例えば、ＲＩが１または２であれば、上記例のグルーピング方式を採用し、各ＣＳＩ−ＲＳポートグループに２つのＣＳＩ−ＲＳポートが含まれる。ＲＩが３または４であれば、ＣＳＩ−ＲＳポートをＮ/４グループに分け、グループごとに４個のＣＳＩ−ＲＳポートがあり、端末は、１つのＣＳＩ−ＲＳポートグループを選出した後、当該ＣＳＩ−ＲＳポートグループに基づき、Ｒａｎｋ=３または４であるフィードバックを行う。ＲＩが４より大きい場合、ＣＳＩ−ＲＳポートをＮ/８個ループに分け、グループごとに８個のＣＳＩ−ＲＳポートが含まれる。端末は、１つのＣＳＩ−ＲＳポートグループに基づいてＲａｎｋ>４の伝送を行う。
【０１２４】
ここで、具体的なプロセスは、ＣＳＩ−ＲＳポートの選択と類似する。例えば、端末は、所定のＲＩに基づき、ＣＳＩ−ＲＳポートグループを選択し、用いられる事前に定義したコードブックは、ＲＩにより確定されることができる。具体的に、ＲＩに対応するＲａｎｋにより、１つのＣＳＩ−ＲＳポートグループ内のポート数Ｋを決定する。ＫがＲＩに対応するＲａｎｋより大きい。ＣＳＩ−ＲＳポートグループ（即ち、複数のＣＳＩ−ＲＳポート）に対応するプリコーディングマトリックス集合内の１つのプリコーディングマトリックスの各列ベクトルは、Ｎ個の列選択ベクトル
【数３４】
2019510419.tif 000036
が連続されて得られたとすれば、ここでＫ=Ｎである。例えば、Ｋ（またはＮ）及びＲＩに対応するＲａｎｋの対応関係は下記の表より得られる。
【０１２５】
【表１】
2019510419.tif 000037
【０１２６】
例えば、ＲＩに対応するＲａｎｋが２であれば、ＣＳＩ−ＲＳポートグループ（複数のＣＳＩ−ＲＳポート）に対応するプリコーディングマトリックス集合内のプリコーディングマトリックスは、（プリコーディングマトリックス内の１つの列アイテム数量は２個の列選択ベクトルより構成される）
【数３５】
2019510419.tif 000038
である。
【０１２７】
また、例えば、ＲＩに対応するＲａｎｋが４であれば、ＣＳＩ−ＲＳポートグループ（複数のＣＳＩ−ＲＳポート）に対応するプリコーディングマトリックス集合内のプリコーディングマトリックスは、（プリコーディングマトリックス内の１つの列アイテム数量は、４個の列選択ベクトルより構成される）
【数３６】
2019510419.tif 000039
である。
【０１２８】
ここで、上記例において、同じ行の異なる列選択ベクトルに用いられる位相因子は異なることもできる。
【０１２９】
さらに、上記状況１及び状況２の例において、端末は、確定されたＣＳＩ−ＲＳリソースに対応する伝送性能情報に基づき、基地局により設定されたＣＳＩ−ＲＳリソース集合から、約定したサブバンド上のＣＳＩ−ＲＳリソースを選択する。または、端末は、確定されたＣＳＩ−ＲＳポートに対応する伝送性能情報に基づき、基地局により設定されたＣＳＩ−ＲＳリソース集合から約定したサブバンド上のＣＳＩ−ＲＳポートを選択する。これらの動作は、伝送性能情報に含まれるＲＳＲＰ（Ｒｅｆｅｒｅｎｃｅ Ｓｉｇｎａｌ Ｒｅｃｅｉｖｉｎｇ Ｐｏｗｅｒ）、伝送ブロックサイズ、チャネル容量、ＳＩＮＲ（Ｓｉｇｎａｌ ｔｏ Ｉｎｔｅｒｆｅｒｅｎｃｅ ｐｌｕｓ Ｎｏｉｓｅ Ｒａｔｉｏ）など伝送性能パラメータのうちの１つまたは複数により選択することができるが、これらに限られない。例えば、ＲＳＲＰ最大であるいくつかのＣＳＩ−ＲＳリソースまたはＣＳＩ−ＲＳポートを選択し、具体的な数は、前の所定のＲＩに基づく方法を参照して確定することができる。
【０１３０】
ステップ３０２において、端末は、選択されたＣＳＩ−ＲＳリソースまたはＣＳＩ−ＲＳポート、及び、選択されたＣＳＩ−ＲＳリソースまたはＣＳＩ−ＲＳポートに対応するプリコーディングマトリックス集合に基づき、ＣＱＩを測定する。ここで、プリコーディングマトリックス集合に１つ以上のプリコーディングマトリックスが含まれ、約定したサブバンド上の１つの物理リソースは、プリコーディングマトリックス集合内の１つのプリコーディングマトリックスに対応する。
【０１３１】
ここで、端末は、選択されたＣＳＩ−ＲＳリソースまたはＣＳＩ−ＲＳポート、及び、選択されたＣＳＩ−ＲＳリソースまたはＣＳＩ−ＲＳポートに対応するプリコーディングマトリックス集合に基づき、ＣＱＩを測定するのは、具体的に、端末は、ダウンリンクチャネル情報に基づき、及び約定したサブバンド内の物理リソースに対応するプリコーディングマトリックスＣＱＩを測定し、前記プリコーディングマトリックスは、選択されたＣＳＩ−ＲＳリソースまたは選択されたＣＳＩ−ＲＩポートに対応するプリコーディングマトリックス集合内のプリコーディングマトリックスである。即ち、ち、端末は、当該ステップ３０２において、選択されたＣＳＩ−ＲＳリソースまたは選択されたＣＳＩ−ＲＳポートに対応するプリコーディングマトリックス集合内の異なるプリコーディングマトリックスを、約定したサブバンド内の異なる物理リソースにおいて伝送するデータシンボルのプリコーディングマトリックスとして、ＣＱＩを測定する。
【０１３２】
具体的に、端末がステップ３０１において、基地局により設定されたＣＳＩ−ＲＳリソース集合から１つ以上のＣＳＩ−ＲＳリソースを選択すれば、端末は、選択された各々ＣＳＩ−ＲＳリソースに対応するプリコーディングマトリックス集合に基づき、選択されたＣＳＩ−ＲＳリソースに対応するダウンリンクチャネル情報それぞれに対し、ＣＱＩを測定し、各々ＣＳＩ−ＲＳリソースに対応するＣＱＩを取得する。または、端末は、選択された各々ＣＳＩ−ＲＳリソースに対応するダウンリンクチャネル情報を合併し、プリコーディングマトリックス集合に基づき、合併後のダウンリンクチャネル情報に対しＣＱＩを測定し、選択された複数のＣＳＩ−ＲＳリソースに対応するジョイントＣＱＩを取得する。例えば、端末は、Ｎ個の、Ｋ個のＣＳＩ−ＲＳポートを有するＣＳＩ−ＲＳリソースに対応するダウンリンクチャネル情報を合併して、（Ｎ×Ｋ）個のＣＳＩ−ＲＳポートに対応する１つのダウンリンクチャネル情報を得て、ＣＱＩを測定する。
【０１３３】
ここで、選択されたＣＳＩ−ＲＳリソースに対応するプリコーディングマトリックス集合は基地局と端末より事前に約定したものである。具体的に上記ステップ３０１の、ＣＳＩ−ＲＳリソースに対応するプリコーディングマトリックス集合を参考したい。
【０１３４】
端末がステップ３０１において、基地局により設定されたＣＳＩ−ＲＳリソース集合から、１つ以上のＣＳＩ−ＲＳポートを選択すれば、端末は、選択された各々ＣＳＩ−ＲＳポートに対応するプリコーディングマトリックス集合に基づき、選択されたＣＳＩ−ＲＳポートに対応するダウンリンクチャネル情報に対しＣＱＩを測定し、選択されたＣＳＩ−ＲＳポートに対応するＣＱＩを取得する。または、端末は、基地局により設定されたＣＳＩ−ＲＳリソースに対応するダウンリンクチャネル情報、及び選択されたＣＳＩ−ＲＳポートに対応するプリコーディングマトリックス集合に基づき、ＣＱＩを測定し、選択されたＣＳＩ−ＲＳポートに対応するＣＱＩを取得する。
【０１３５】
ここで、選択されたＣＳＩ−ＲＳポートに対応するプリコーディングマトリックス集合は、基地局と端末により事前約定したものであるか、または、選択されたＣＳＩ−ＲＳポートに対応するプリコーディングマトリックス集合内のプリコーディングマトリックスは、列選択ベクトルまたは列選択ベクトル・グループより構成される。または、列選択ベクトル（または列選択ベクトル・グループ）及び位相集合に基づいて得られることができる。具体的に、上記ステップ３０１の、ＣＳＩ−ＲＳポートに対応するプリコーディングマトリックス集合（事前設定のコードブック）に関する記載を参考したい。
【０１３６】
約定したサブバンド内の物理リソース数がプリコーディングマトリックス集合内のプリコーディングマトリックス数より大きければ、プリコーディングマトリックス集合内のプリコーディングマトリックスは、帯域幅内の物理リソースにおいて、サイクル利用される。
【０１３７】
具体的に、端末は、約定したサブバンドにおいて、ｉ番目の物理リソースが、プリコーディングマトリックス集合内のｋ番目のプリコーディングマトリックスに対応すると仮説することができる。
【０１３８】
k=i mod K。ここで、i=0,1,2…Ｎ，k=0,1,2,3,…,K−1，Ｎはサブバンド内の物理リソース数であり、Kは、プリコーディングマトリックス集合内のプリコーディングマトリックス数であるか、または、k=ceil(i/v) mod K，ここで、ceil(i/v)はi/vより小さくない最小整数を示す。v=ＲＩまたはvはアンテナポート数であり、i=0,1,2…Ｎ、k=0,1,2,3,…,K−1、Ｎはサブバンド内の物理リソース数であり、Kは、プリコーディングマトリックス集合内のプリコーディングマトリックス数である。上記方式でＫ個の物理リソースを単位として、プリコーディングマトリックス集合内のプリコーディングマトリックスをサイクル利用する。
【０１３９】
プリコーディングマトリックス集合内のプリコーディングマトリックスが１つのみであれば、約定したサブバンド内の全部物理リソースに用いられるプリコーディングマトリックスがどうである。
【０１４０】
さらに、端末は、選択されたＣＳＩ−ＲＳリソースまたはＣＳＩ−ＲＳポート，及び選択されたＣＳＩ−ＲＳリソースまたはＣＳＩ−ＲＳポートに対応するプリコーディングマトリックス集合に基づき、ＣＳＩに含まれる、ＲＩまたはＰＭＩなど情報を測定する個おｔもできる。具体的に、端末からフィードバックされたＣＳＩに含まれる情報は基地局によって設定されることができる。例えば、基地局は、端末がＣＱＩのみを報告するか、またはＲＩ及びＣＱＩを報告するように設定する。例えば、端末は、異なるＲＩに対応するチャネル容量、伝送ブロックサイズなどの物理量に基づき、最適のＲＩを選択し、かつ、最適のＲＩ及び前記事前設定のプリコーディングマトリックス集合に基づき、各物理リソース上のＳＩＮＲを計算し、マッピングして、対応のＣＱＩを得る。
【０１４１】
ステップ３０３において、端末は、前記ＣＱＩ及び選択されたＣＳＩ−ＲＳリソースまたはＣＳＩ−ＲＳポートの指示情報をフィードバックする。
【０１４２】
ここで、選択されたＣＳＩ−ＲＳリソースの指示情報は、基地局により設定されたＣＳＩ−ＲＳリソース集合内の選択されたＣＳＩ−ＲＳリソースのインデックスである。
【０１４３】
具体的に、端末は、ステップ３０１において、基地局により設定されたＣＳＩ−ＲＳリソース集合から、ＣＳＩ−ＲＳリソースを選択した後、ＣＳＩ−ＲＳリソース集合内の、選択されたＣＳＩ−ＲＳリソースのインデックスを、選択されたＣＳＩ−ＲＳの指示情報として、基地局にフィードバックする。
【０１４４】
例えば、基地局により設定されたＣＳＩ−ＲＳリソース集合に４個のＣＳＩ−ＲＳリソースがあれば、２ビット情報で異なるＣＳＩ−ＲＳリソースそれぞれを示すことができる。端末は、そのうちから１つのＣＳＩ−ＲＳリソースを選択し、２ビット情報え選択されたＣＳＩ−ＲＳリソースを示し、かつ、フィードバックする。端末は、そのうちから１個以上のＣＳＩ−ＲＳリソースを選択し、端末は、選択された各ＣＳＩ−ＲＳリソースに対応する指示情報それぞれをフィードバックする。
【０１４５】
また、例えば、端末は、ビットマップｂｉｔｍａｐで選択されたＣＳＩ−ＲＳリソースをフィードバックする。即ち、ち、ｂｉｔｍａｐにより選択されたＣＳＩ−ＲＳリソースを示す。具体的に、ｂｉｔｍａｐにおいて選択された対応のＣＳＩ−ＲＳリソースのビットが１、他のビットが０である。
【０１４６】
ここで、選択されたＣＳＩ−ＲＳポートの指示情報は、選択された在基地局により設定されたＣＳＩ−ＲＳリソースに含まれる全部のＣＳＩ−ＲＳポート内のＣＳＩ−ＲＳポートのインデックス（方式１）である。または、選択されたＣＳＩ−ＲＳポートの指示情報は、事前設定のコードブック内の、選択されたＣＳＩ−ＲＳポートに対応するプリコーディングマトリックス集合のインデックスである（方式２）。
【０１４７】
具体的に、方式１について、端末は、ステップ３０１において、基地局により設定されたＣＳＩ−ＲＳリソース集合からＣＳＩ−ＲＳポートを選択した後、基地局により設定されたＣＳＩ−ＲＳリソースに含まれる全部のＣＳＩ−ＲＳポート内の、選択されたＣＳＩ−ＲＳポートインデックスを、選択されたＣＳＩ−ＲＳの指示情報として、基地局にフィードバックする。
【０１４８】
例えば、基地局により設定されたＣＳＩ−ＲＳリソース集合に４個のＣＳＩ−ＲＳポートがあれば、２ビット情報それぞれは、異なるＣＳＩ−ＲＳポートを示し、端末は、そのうちの１つのＣＳＩ−ＲＳポートを選択する。２ビット情報で当該選択されたＣＳＩ−ＲＳポートを示し、かつフィードバックする。端末がそのうちから１個以上ののＣＳＩ−ＲＳポートを選択すれば、端末は、選択された各ＣＳＩ−ＲＳポートに対応する指示情報それぞれをフィードバックする。
【０１４９】
また、例えば、端末は、ビットマップ（ｂｉｔｍａｐ）で選択されたＣＳＩ−ＲＳポートをフィードバックすることもできる。即ち、ち、ｂｉｔｍａｐが選択されたＣＳＩ−ＲＳポートを示す。具体的に、ｂｉｔｍａｐにおいて選択された対応のＣＳＩ−ＲＳポートのビットが１、他のビットは０である。
【０１５０】
具体的に、方式２に対し、端末は、ステップ３０１で基地局により設定されたＣＳＩ−ＲＳリソース集合からＣＳＩ−ＲＳポートを選択した後、事前設定のコードブック内の、選択されたＣＳＩ−ＲＳポートに対応するプリコーディングマトリックス集合のインデックスを、選択されたＣＳＩ−ＲＳの指示情報として、基地局にフィードバックする。ここで、事前設定のコードブックは、上記ステップ３０１において、ＣＳＩ−ＲＳポートに対応するプリコーディングマトリックス集合（事前設定のコードブック）に関する記載を参考したい。
【０１５１】
方式２に記載の選択されたＣＳＩ−ＲＳの指示情報をより明確にするため、以下例を挙げて説明する。
【０１５２】
＜例１＞Ｒａｎｋ=２。基地局により設定されたＣＳＩ−ＲＳリソース集合に８個のＣＳＩ−ＲＳポートが含まれる。選択されたＣＳＩ−ＲＳポートの指示情報をi１とし、当該集合内の、i１が示すプリコーディングマトリックス集合内のプリコーディングマトリックスインデックスはi２である。i１とプリコーディングマトリックス集合の対応関係は表１に示す。
【０１５３】
【表２】
2019510419.tif 000040
【０１５４】
＜例２＞Ｒａｎｋ=３。基地局により設定されたＣＳＩ−ＲＳリソース集合に８個のＣＳＩ−ＲＳポートが含まれる。選択されたＣＳＩ−ＲＳポートの指示情報をi１とし、当該集合内の、i１が示すプリコーディングマトリックス集合内のプリコーディングマトリックスインデックスはi２である。i１とプリコーディングマトリックス集合の対応関係は、表２、表３、または表４に示す。
【０１５５】
【表３】
2019510419.tif 000041
【０１５６】
【表４】
2019510419.tif 000042
【０１５７】
【表５】
2019510419.tif 000043
【０１５８】
＜例３＞Ｒａｎｋ=４、基地局により設定されたＣＳＩ−ＲＳリソース集合に８個のＣＳＩ−ＲＳポートが含まれる。選択されたＣＳＩ−ＲＳポートの指示情報がi１とし、当該集合内の、i１が示すプリコーディングマトリックス集合内のプリコーディングマトリックスのインデックスは、i２である。i１とプリコーディングマトリックス集合の対応関係は、表５、表６、または表７に示す。
【０１５９】
【表６】
2019510419.tif 000044
【０１６０】
【表７】
2019510419.tif 000045
【０１６１】
【表８】
2019510419.tif 000046
【０１６２】
具体的に、ステップ３０３において、端末は、ＣＱＩ及び選択されたＣＳＩ−ＲＳリソースまたはＣＳＩ−ＲＳポートの指示情報それぞれをフィードバックしてもよく、または端末は、ＣＱＩ及び選択されたＣＳＩ−ＲＳリソースまたはＣＳＩ−ＲＳポートの指示情報を一緒にフィードバックしてもよい。
【０１６３】
例えば、端末は、基地局のトリガーにより、非周期的なフィードバックを行い、１つのサブフレームにおいて、ＣＱＩ及び選択されたＣＳＩ−ＲＳリソースまたはＣＳＩ−ＲＳポートの指示情報を報告する。
【０１６４】
また、例えば、端末は、ＣＱＩ及び選択されたＣＳＩ−ＲＳリソースまたはＣＳＩ−ＲＳポートの指示情報のビットを連続するか、またはジョイントコーディングして、基地局にともにフィードバックする。
【０１６５】
よって、本発明に係る実施例はＣＳＩのフィードバック案を提供する。本発明に係る実施例において、端末は、まず、基地局により設定されたＣＳＩ−ＲＳリソース集合から、約定したサブバンド上のＣＳＩ−ＲＳリソースまたはＣＳＩ−ＲＳポートを選択する。つぎに、選択されたＣＳＩ−ＲＳリソースまたはＣＳＩ−ＲＳポートに対応するプリコーディングマトリックス集合内の複数のプリコーディングマトリックスをサブバンド内の異なる物理リソース上のプリコーディングマトリックスとして、ＣＱＩを測定し、測定し得たＣＱＩ及び選択されたＣＳＩ−ＲＳリソースまたはＣＳＩ−ＲＳポートの指示情報をフィードバックする。本発明に係る実施例において、端末プリコーディングマトリックス集合に基づき、約定したサブバンド内の異なる物理リソースに対し、対応するプリコーディングマトリックスを用いてＣＱＩを測定することは、１つのプリコーディングマトリックスのみに基づきＣＱＩを測定する従来技術と比較すれば、ＣＳＩとチャネル状態とのマッチングの程度を向上することができる。
【０１６６】
同様な技術思想に基づき、本発明に係る実施例は、プリコーディング方法をさらに提供する。
【０１６７】
図５は本発明のたの１つの実施例に係るプリコーディング方法のフローチャートである。当該フローチャートは、基地局により実施さｒた、当該フローチャートは以下のステップを備える。
【０１６８】
ステップ５０１において、基地局は、端末からフィードバックされたチャネル品質インジケータ（ＣＱＩ）及び選択された約定したサブバンド上のＣＳＩ−ＲＳリソースまたはＣＳＩ−ＲＳポートの指示情報を受信する。
【０１６９】
ステップ５０２において、基地局は、前記ＣＱＩに基づき、ダウンリンク伝送のコーディング・変調方式を確定する。
【０１７０】
ステップ５０３において、基地局は、選択された約定したサブバンド上のＣＳＩ−ＲＳリソースまたはＣＳＩ−ＲＳポートの指示情報に基づき、対応するプリコーディングマトリックス集合及びビームフォーミングベクトルを確定する。
【０１７１】
ステップ５０４において、基地局は、確定されたプリコーディングマトリックス集合及びビームフォーミングベクトルに基づき、約定したサブバンド上の物理リソースにおいて伝送するデータに対し、プリコーディングを行う。
【０１７２】
ここで、基地局は、受信した端末からフィードバックされたＣＱＩに基づき、ダウンリンク伝送のコーディング・変調方式を確定することができる。
【０１７３】
ここで、基地局は、選択された約定したサブバンド上のＣＳＩ−ＲＳリソースまたはＣＳＩ−ＲＳポートの指示情報に基づき、対応するプリコーディングマトリックス集合及びビームフォーミングベクトルを確定した後、確定された第１プリコーディングマトリックス集合内のプリコーディングマトリックスと、確定されたビームフォーミングベクトルとを計算し、プリコーディングするための第２プリコーディングマトリックス集合を取得する。ここで、第２プリコーディングマトリックス集合に１つ以上のプリコーディングマトリックスが含まれ、約定したサブバンド上の１つの物理リソースは、前記第２プリコーディングマトリックス集合内の１つのプリコーディングマトリックスに対応する。また、基地局は、約定したサブバンド上の物理リソースに対応する前記第２プリコーディングマトリックス集合内のプリコーディングマトリックスに基づき、約定したサブバンド上の物理リソースにおいて伝送するデータに対し、プリコーディングを行う。
【０１７４】
具体的に、基地局がステップ５０１において受信した端末からフィードバックされた選択された約定したサブバンド上のＣＳＩ−ＲＳリソースまたはＣＳＩ−ＲＳポートの指示情報が、基地局により設定されたＣＳＩ−ＲＳリソース集合内の選択されたＣＳＩ−ＲＳリソースのインデックスであるか、または在基地局により設定されたＣＳＩ−ＲＳリソースに含まれる全部のＣＳＩ−ＲＳポート内のＣＳＩ−ＲＳポートのインデックスであれば、ステップ５０３において、基地局は、当該指示情報にに対応するＣＳＩ−ＲＳリソースまたはＣＳＩ−ＲＳポートに基づき、に対応するプリコーディングマトリックス集合を確定し、当該ＣＳＩ−ＲＳリソースまたはＣＳＩ−ＲＳポートをフォーミングするのに用いられるフォーミングベクトルを、約定された帯域幅内のダウンリンク伝送に用いられるビームフォーミングベクトルとする。また、ステップ５０４において、基地局は、ステップ５０３で確定されたビームフォーミングベクトル及びプリコーディングマトリックス集合内の異なるプリコーディングマトリックスに基づき、ｌダウンリンク伝送のためのプリコーディングマトリックス集合を取得し、当該プリコーディングマトリックス集合を用いて、約定したサブバンド上の物理リソースにおいて伝送するデータに対し、プリコーディングを行う。
【０１７５】
具体的に、ステップ５０４において、基地局は、ビームフォーミングベクトルとプリコーディングマトリックス集合（説明の便宜のため、本発明に係る実施例において、第１プリコーディングマトリックス集合で示す）内の異なるプリコーディングマトリックスを計算し、計算し得たプリコーディングマトリックス集合（第２プリコーディングマトリックス集合で示す）内のプリコーディングマトリックスそれぞれを、約定したサブバンド内の異なる物理リソースにおいてデータシンボルを伝送するのに用いられるプリコーディングマトリックスとし、即ち、ち、約定したサブバンド上の１つの物理リソースは、第２プリコーディングマトリックス集合内の１つのプリコーディングマトリックスに対応する。基地局は、第２プリコーディングマトリックス集合に基づき、約定したサブバンド上の物理リソースにおいて伝送するデータに対し、プリコーディングを行う。当該プロセスは、端末側においてＣＱＩを測定するときの、異なる物理リソース上のデータシンボルに用いられるプリコーディングマトリックスのプロセスと同様である
【０１７６】
本発明の一部の好ましい実施例において、上記計算はＫｒｏｎｅｃｋｅｒ積算である。
【０１７７】
ここで、ダウンリンク伝送のための第２プリコーディングマトリックス集合に用いられる第１プリコーディングマトリックス集合は、上記端末側の方法実施例に記載された端末がＣＱＩを測定するのに用いられるプリコーディングマトリックス集合と同様である。
【０１７８】
例えば、端末からフィードバックされた指示情報は、k個のＣＳＩ−ＲＳリソースまたはＣＳＩ−ＲＳポートを選択することを示し、選択されたk個のＣＳＩ−ＲＳリソースまたはＣＳＩ−ＲＳポートに対してフォーミングするのに用いられるフォーミングベクトルそれぞれは、
【０１７９】
【数３７】
2019510419.tif 000047
【０１８０】
である。
【０１８１】
【数３８】
2019510419.tif 000048
【０１８２】
である。基地局は、
【数３９】
2019510419.tif 000049
を、約定したサブバンド内のn×Ｋ+i番目の物理リソース上のプリコーディングマトリックスとする。
【０１８３】
ここで、基地局が選択された約定したサブバンド上のＣＳＩ−ＲＳポートの指示情報に基づいて対応するプリコーディングマトリックス集合及びビームフォーミングベクトルを確定した後、確定されたプリコーディングマトリックス集合内のプリコーディングマトリックス内の列選択ベクトルそれぞれを、列選択ベクトル各自に対応するビームフォーミングベクトルに替え、プリコーディングするための第２プリコーディングマトリックス集合を取得し、ここで、１つのプリコーディングマトリックス内の１つの列ベクトルは、Ｍ個の列選択ベクトルが連続されて構成され、列選択ベクトルそれぞれは１つのＣＳＩ−ＲＳポートに対応し、第２プリコーディングマトリックス集合に１つ以上のプリコーディングマトリックスが含まれ、約定したサブバンド上の１つの物理リソースは、第２プリコーディングマトリックス集合内の１つのプリコーディングマトリックスに対応する。Ｍは、１より大きいか等しい整数である。また、基地局は、約定したサブバンド上の物理リソースに対応する前記第２プリコーディングマトリックス集合内のプリコーディングマトリックスに基づいて、約定したサブバンド上の物理リソースにおいて伝送するデータに対し、プリコーディングを行う。
【０１８４】
具体的に、基地局がステップ５０１において受信した端末からフィードバックされた選択された約定したサブバンド上のＣＳＩ−ＲＳポートの指示情報は、事前設定のコードブック内の、選択されたＣＳＩ−ＲＳポートに対応するプリコーディングマトリックス集合のインデックスであれば、基地局は、ステップ５０３において、当該指示情報に基づき、事前設定のコードブックから、当該指示情報に対応するプリコーディングマトリックス集合を確定する。こうすれば、基地局は、当該確定されたプリコーディングマトリックス集合の各プリコーディングマトリックス内の列選択ベクトルに基づき、選択されたＣＳＩ−ＲＳポート及びに対応するビームフォーミングベクトルを取得する。ここで、１つのプリコーディングマトリックス内の１つの列ベクトルは、Ｍ個の列選択ベクトルが連続されて構成され、列選択ベクトルそれぞれは１つのＣＳＩ−ＲＳポートに対応し、Ｍは、１より大きいか等しい整数である。また、ステップ５０４において、基地局は、ステップ５０３に確定されたプリコーディングマトリックス集合内のプリコーディングマトリックス内各列選択ベクトルそれぞれを、各列選択ベクトル各自に対応するビームフォーミングベクトルに替え、プリコーディングするための第２プリコーディングマトリックス集合を取得し、第２プリコーディングマトリックス集合内の異なるプリコーディングマトリックスそれぞれを、約定したサブバンド内の異なる物理リソースにおいてデータシンボルを伝送するのに用いるプリコーディングマトリックスとする。当該プロセスは、端末側でＣＱＩを測定するとき、異なる物理リソース上のデータシンボルに用いられるプリコーディングマトリックスのプロセスと同様である。
【０１８５】
ここで、ダウンリンク伝送のための第２プリコーディングマトリックス集合に用いられる選択されたＣＳＩ−ＲＳポートに対応するプリコーディングマトリックス集合の計算は、上記端末側の方法実施例に記載された、端末がＣＱＩを測定するのに用いられる選択されたＣＳＩ−ＲＳポートに対応するプリコーディングマトリックス集合と同じである。事前設定のコードブックは、上記端末側の方法実施例に記載された事前設定のコードブックと同様である。例えば、ＣＳＩ−ＲＳポート指示情報に基づいて確定されたプリコーディングマトリックス集合内のプリコーディングマトリックスは、列選択ベクトル、または、列選択ベクトル・グループより構成され、前記列選択ベクトル内の１つのエレメントは１であり、他のエレメントは０であり、または、列選択ベクトル及び位相集合（または列選択ベクトル・グループ及び位相集合に基づく）に基づいてい得られ、位相集合には１つ以上の位相因子が含まれ、１つの位相因子に基づいて、１つのプリコーディングマトリックス集合内の１つのプリコーディングマトリックスを取得する。及び例えば、ＣＳＩ−ＲＳポート指示情報に基づいて確定されたプリコーディングマトリックス集合内のプリコーディングマトリックス内の１つの列ベクトルは、連結されたＭ個の列選択ベクトルより構成され、Ｍは選択されたＣＳＩ−ＲＳポート数と等しく、前記Ｍ個の列選択ベクトル内の値が１であるエレメエレメントに対応するポートは、選択されたＣＳＩ−ＲＳポートを構成し、Ｍは、１より大きいか等しい整数である。
【０１８６】
例えば、選択されたＣＳＩ−ＲＳポートに対応するプリコーディングマトリックス集合の１つのプリコーディングマトリックスに用いられる列選択ベクトルが
【数４０】
2019510419.tif 000050
であり、選択ｋ番目のＣＳＩ−ＲＳリソースまたはＣＳＩ−ＲＳポート（または、ＣＳＩ−ＲＳポートグループ）を示し、かつ、ｋ番目のＣＳＩ−ＲＳリソースまたはＣＳＩ−ＲＳポート（またはＣＳＩ−ＲＳグループ）に用いられるフォーミングベクトルは
【数４１】
2019510419.tif 000051
であり、基地局は、
【数４２】
2019510419.tif 000052
でプリコーディングマトリックスないの
【数４３】
2019510419.tif 000053
を替えて、第２プリコーディングマトリックス集合内のプリコーディングマトリックスを取得する。例えば、選択されたＣＳＩ−ＲＳポートに対応するプリコーディングマトリックス集合の１つのプリコーディングマトリックスは、
【数４４】
2019510419.tif 000054
である。
【０１８７】
基地局の、ダウンリンク伝送のプリコーディングに用いられる第２プリコーディングマトリックス集合内のプリコーディングマトリックスは、
【数４５】
2019510419.tif 000055
である。
【０１８８】
ここで、
【数４６】
2019510419.tif 000056
は第１番目のＣＳＩ−ＲＳリソースまたはポートグループに用いられるフォーミングベクトルである。
【０１８９】
本発明の一部の実施例において、約定したサブバンドにおいて、ｉ番目の物理リソースは、前記第２プリコーディングマトリックス集合内のｋ番目のプリコーディングマトリックスに対応する。 
【０１９０】
ここで、k=i mod Ｋ、i=０,１,２…Ｎ、k=０,１,２,３,…,Ｋ−１、Ｋは第２プリコーディングマトリックス集合内のプリコーディングマトリックス数であり、Ｎはサブバンド内の物理リソース数である。
【０１９１】
または、k=ceil(i/v) mod Ｋ，ここで、ceil(i/v)はi/vより小さくない最小整数を示し、v=ＲＩまたはvはアンテナポート数であり、i=０,１,２…Ｎ、k=０,１,２,３,…,Ｋ−１、Ｋは第２プリコーディングマトリックス集合内のプリコーディングマトリックス数であり、Ｎはサブバンド内の物理リソース数である。
【０１９２】
ここで、約定したサブバンド、物理リソース、位相集合は上記実施例の記載の同様であり、繰り返して説明しない。
【０１９３】
よって、本発明に係る実施例において、基地局がプリコーディング処理を行うとき、端末からフィードバックされた選択されたＣＳＩ−ＲＳリソースまたはＣＳＩ−ＲＳポートの指示情報に基づき、に対応するプリコーディングマトリックス集合及びビームフォーミングベクトルを確定し、確定されたに対応するプリコーディングマトリックス集合及びビームフォーミングベクトルに基づき、約定したサブバンド上の物理リソースにおいて伝送するデータに対し、プリコーディングを行う。１態様によれば、本発明に係る実施例において、基地局は、プリコーディングマトリックス集合内のプリコーディングマトリックスに基づき、物理リソースそれぞれに対し、当該物理リソースに対応するプリコーディングマトリックスを用いてプリコーディングを行うため、１つのプリコーディングマトリックスのみに基づきプリコーディング処理を行う従来技術と比べ、プリコーディング後のデータは、チャネル状態とよりよくマッチングすることができるようになる。他の１つの態様によれば、基地局により異なるＣＳＩ−ＲＳリソースまたはＣＳＩ−ＲＳポートに送信するＣＳＩ−ＲＳに異なるビームフォーミングベクトルが用いられ、フォーミングする場合、基地局は、端末からフィードバックされたＣＳＩ−ＲＳリソースまたはＣＳＩ−ＲＳポートの指示情報に基づき、対応するビームフォーミングベクトルを確定することができ、異なる物理リソースにおいて、対応のビームフォーミングベクトル及びプリコーディングマトリックスを用いてプリコーディングを行うことより、従来技術と比べ、プリコーディング後のデータとチャネル状態のマッチングの程度をさらに向上し、ダウンリンク伝送性能を確保する。特に高速の場合、安定的なプリコーディング利得を確保し、従来のＭＩＭＯ伝送案と比べ性能を著しく向上し、各データストリームは、プリコーディングプリコーディングマトリックス異なる列ベクトルをトラバースすることができるので、それぞれのデータストリームのＳＩＮＲの間にわずかな差が存在し、それによって、コードワードに対応する異なるデータストリームの不均一なＳＩＮＲの問題点を防ぐことができる。
【０１９４】
同様な技術思想に基づき、本発明に係る実施例は端末をさらに提供する。
【０１９５】
図６は、本発明の実施例に係る端末の構成図である。当該端末は、上記端末側のＣＳＩフィードバックフローチャートを執行する。図６に示すように、本発明の実施例に係る端末は、選択モジュール６０１と、測定モジュール６０２と、フィードバックモジュール６０３とを備える。
【０１９６】
前記選択モジュール６０１は、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する。
【０１９７】
前記測定モジュール６０２は、選択されたＣＳＩ−ＲＳリソースまたはＣＳＩ−ＲＳポート，及び選択されたＣＳＩ−ＲＳリソースまたはＣＳＩ−ＲＳポートに対応するプリコーディングマトリックス集合に基づき、チャネル品質インジケータ（ＣＱＩ）を測定する、前記プリコーディングマトリックス集合に１つ以上のプリコーディングマトリックスが含まれ、前記約定したサブバンド上の１つの物理リソースは、前記プリコーディングマトリックス集合内の１つのプリコーディングマトリックスに対応し、
前記フィードバックモジュール６０３は、前記ＣＱＩ及び選択されたＣＳＩ−ＲＳリソースまたはＣＳＩ−ＲＳポートの指示情報をフィードバックする。
【０１９８】
前記測定モジュール６０２は、ダウンリンクチャネル情報、及び前記約定したサブバンド内の物理リソースに対応するプリコーディングマトリックスに基づき、ＣＱＩを測定し、前記プリコーディングマトリックスは、選択されたＣＳＩ−ＲＳリソースまたは選択されたＣＳＩ−ＲＩポートに対応するプリコーディングマトリックス集合内のプリコーディングマトリックスである。
【０１９９】
具体的に、前記選択モジュール６０１は、基地局により設定されたＣＳＩ−ＲＳリソース集合から約定したサブバンド上のＣＳＩ−ＲＳリソースを選択する。
【０２００】
また、前記測定モジュール６０２は、プリコーディングマトリックス集合に基づき、選択されたＣＳＩ−ＲＳリソースに対応するダウンリンクチャネル情報それぞれに対し、ＣＱＩを測定し、各々ＣＳＩ−ＲＳリソースに対応するＣＱＩを取得する。
【０２０１】
または、選択された各々ＣＳＩ−ＲＳリソースに対応するダウンリンクチャネル情報を合併し、プリコーディングマトリックス集合に基づき、合併後のダウンリンクチャネル情報に対しＣＱＩを測定し、選択された複数のＣＳＩ−ＲＳリソースに対応するジョイントＣＱＩを取得する。
【０２０２】
具体的に、前記選択モジュール６０１は、基地局により設定されたＣＳＩ−ＲＳリソース集合から約定したサブバンド上のＣＳＩ−ＲＳポートを選択する。
【０２０３】
また、前記測定モジュール６０２は、プリコーディングマトリックス集合に基づき、選択されたＣＳＩ−ＲＳポートに対応するダウンリンクチャネル情報に対しＣＱＩを測定し、選択されたＣＳＩ−ＲＳポートに対応するＣＱＩを取得する。
【０２０４】
または、前記基地局により設定されたＣＳＩ−ＲＳリソースに対応するダウンリンクチャネル情報及び選択されたＣＳＩ−ＲＳポートに対応するプリコーディングマトリックス集合に基づき、ＣＱＩを測定し、選択されたＣＳＩ−ＲＳポートに対応するＣＱＩを取得する。
【０２０５】
さらに、前記選択モジュール６０１は、所定のＲＩ及びダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する。
【０２０６】
具体的に、前記選択モジュール６０１は、前記ＲＩに基づき、選択されたＣＳＩ−ＲＳリソースまたはＣＳＩ−ＲＳポート数を確定する。
【０２０７】
前記ＲＩは、前記端末が最後にフィードバックされたＲＩであり、または前記ＲＩは、基地局により前記端末に指示したものである。
【０２０８】
さらに、前記選択モジュール６０１は、前記基地局により設定されたＣＳＩ−ＲＳリソース集合内のＣＳＩ−ＲＳリソースまたはＣＳＩ−ＲＳポートに対応するダウンリンクチャネル情報に基づき、前記基地局により設定されたＣＳＩ−ＲＳリソースまたはＣＳＩ−ＲＳポートに対応する伝送性能情報を確定し、または、前記基地局により設定されたＣＳＩ−ＲＳリソース集合内のＣＳＩ−ＲＳリソースまたはＣＳＩ−ＲＳポートに対応するプリコーディングマトリックス集合と、ダウンリンクチャネル情報を計算し得た結果に基づき、前記基地局により設定されたＣＳＩ−ＲＳリソースまたはＣＳＩ−ＲＳポートに対応する伝送性能情報を確定し、確定された前記ＣＳＩ−ＲＳリソースまたはＣＳＩ−ＲＳポートに対応する伝送性能情報に基づき、基地局により設定されたＣＳＩ−ＲＳリソース集合から、約定したサブバンド上のＣＳＩ−ＲＳリソースまたはＣＳＩ−ＲＳポートを選択する。
【０２０９】
本発明の一部の実施例において、選択されたＣＳＩ−ＲＳリソースの指示情報は、前記基地局により設定されたＣＳＩ−ＲＳリソース集合内の、選択されたＣＳＩ−ＲＳリソースのインデックスである。
【０２１０】
本発明の一部の実施例において、選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または選択されたＣＳＩ−ＲＳポートの指示情報は、事前設定のコードブック内の、選択されたＣＳＩ−ＲＳポートに対応するプリコーディングマトリックス集合のインデックスである。
【０２１１】
本発明の一部の実施例において、選択されたＣＳＩ−ＲＳリソースに対応するプリコーディングマトリックス集合は、前記端末と基地局により事前約定されたものである。
【０２１２】
本発明の一部の実施例において、選択されたＣＳＩ−ＲＳポートに対応するプリコーディングマトリックス集合内のプリコーディングマトリックスは、列選択ベクトル、または、列選択ベクトル・グループより構成され、前記列選択ベクトル内の１つのエレメントは１であり、他のエレメントは０であり、または選択されたＣＳＩ−ＲＳポートに対応するプリコーディングマトリックス集合は、列選択ベクトル及び位相集合、または、列選択ベクトル・グループ及び位相集合に基づいて得られたものであり、前記位相集合には１つ以上の位相因子が含まれ、１つの位相因子に基づいて、１つのプリコーディングマトリックス集合内の１つのプリコーディングマトリックスを取得する。
【０２１３】
本発明の一部の実施例において、選択されたＣＳＩ−ＲＳポートに対応するプリコーディングマトリックス集合内のプリコーディングマトリックス内の１つの列ベクトルは、連結されたＭ個の列選択ベクトルより構成され、Ｍは選択されたＣＳＩ−ＲＳポート数と等しく、前記Ｍ個の列選択ベクトル内の値が１であるエレメエレメントに対応するポートは、選択されたＣＳＩ−ＲＳポートを構成し、Ｍは、１より大きいか等しい整数である。
【０２１４】
具体的に、本発明の一部の実施例において、列選択ベクトル及び位相集合に基づき、または、列選択ベクトル・グループ及び位相集合に基づき、前記プリコーディングマトリックス集合を取得する場合、
１つの位相因子に基づいてエアられた位相マトリックス与前記列選択ベクトルまたは前記列選択ベクトル・グループ内の列選択ベクトルをＫｒｏｎｅｃｋｅｒ積算し、算出されたマトリックス内の列ベクトルより１つのプリコーディングマトリックスを構成する。
【０２１５】
本発明の一部の実施例において、前記約定したサブバンドにおいて、ｉ番目の物理リソースは、前記プリコーディングマトリックス集合内のｋ番目のプリコーディングマトリックスに対応する。 
【０２１６】
ここで、k=i mod Ｋ、i=０,１,２…Ｎ、k=０,１,２,３,…,Ｋ−１、Ｋは、プリコーディングマトリックス集合内のプリコーディングマトリックス数であり、Ｎはサブバンド内の物理リソース数である。
【０２１７】
または、k=ceil(i/v) mod Ｋ，ここで、ceil(i/v)はi/vより小さくない最小整数を示し、v=ＲＩまたはvはアンテナポート数であり、i=０,１,２…Ｎ、k=０,１,２,３,…,Ｋ−１、Ｋは、プリコーディングマトリックス集合内のプリコーディングマトリックス数であり、Ｎはサブバンド内の物理リソース数である。
【０２１８】
ここで、約定したサブバンド、物理リソース、位相集合、位相マトリックスは、前述実施例の記載と同様であり、繰り返して説明しない。
【０２１９】
同様な技術思想に基づき、本発明に係る実施例は基地局をさらに提供する。
【０２２０】
図７は、本発明の実施例に係る基地局の構成図である。当該基地局は、前記基地局側のプリコーディングフローチャートを執行する。図７に示すように、本発明の実施例に係る基地局は、
端末からフィードバックされたチャネル品質インジケータ（ＣＱＩ）及び選択された約定したサブバンド上のＣＳＩ−ＲＳリソースまたはＣＳＩ−ＲＳポートの指示情報を受信する受信モジュール７０１と、
前記ＣＱＩに基づき、ダウンリンク伝送のコーディング・変調方式を確定する第１確定モジュール７０２と、
選択された約定したサブバンド上のＣＳＩ−ＲＳリソースまたはＣＳＩ−ＲＳポートの指示情報に基づき、対応するプリコーディングマトリックス集合及びビームフォーミングベクトルを確定する第２確定モジュール７０３と、
確定されたプリコーディングマトリックス集合及びビームフォーミングベクトルに基づき、前記約定したサブバンド上の物理リソースにおいて伝送するデータに対してプリコーディングを行うプリコーディングモジュール７０４とを備える。
【０２２１】
具体的に、前記に対応するプリコーディングマトリックス集合及びビームフォーミングベクトルは、前記第２確定モジュール７０３が選択された約定したサブバンド上のＣＳＩ−ＲＳリソースまたはＣＳＩ−ＲＳポートの指示情報確定基づいて確定されたものである。
【０２２２】
また、前記プリコーディングモジュール７０４は、確定された第１プリコーディングマトリックス集合内のプリコーディングマトリックスと、確定されたビームフォーミングベクトルとを計算し、プリコーディングするための第２プリコーディングマトリックス集合を取得する。前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応する。
【０２２３】
前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行う。
【０２２４】
具体的に、前記に対応するプリコーディングマトリックス集合及びビームフォーミングベクトルは、前記第２確定モジュール７０３が選択された約定したサブバンド上のＣＳＩ−ＲＳポートの指示情報に基づいて確定されたものである。
【０２２５】
また、前記プリコーディングモジュール７０４は、確定されたプリコーディングマトリックス集合内のプリコーディングマトリックス内の列選択ベクトルそれぞれを、列選択ベクトル各自に対応するビームフォーミングベクトルに替え、プリコーディングするための第２プリコーディングマトリックス集合を取得する。ここで、１つのプリコーディングマトリックス内の１つの列ベクトルは、Ｍ個の列選択ベクトルが連続されて構成され、列選択ベクトルそれぞれは１つのＣＳＩ−ＲＳポートに対応し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、Ｍは、１より大きいか等しい整数である。
【０２２６】
前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行う。
【０２２７】
具体的に、前記約定したサブバンドにおいて、ｉ番目の物理リソースは、前記第２プリコーディングマトリックス集合内のｋ番目のプリコーディングマトリックスに対応する。
【０２２８】
ここで、k=i mod Ｋ、i=０,１,２…Ｎ、k=０,１,２,３,…,Ｋ−１、Ｋは第２プリコーディングマトリックス集合内のプリコーディングマトリックス数であり、Ｎはサブバンド内の物理リソース数である。
【０２２９】
k=ceil(i/v) mod Ｋ，ここで、ceil(i/v)はi/vより小さくない最小整数を示し、v=ＲＩままたは、たはvはアンテナポート数であり、i=０,１,２…Ｎ、k=０,１,２,３,…,Ｋ−１、Ｋは第２プリコーディングマトリックス集合内のプリコーディングマトリックス数であり、Ｎはサブバンド内の物理リソース数である。
【０２３０】
本発明の一部の実施例において、選択されたＣＳＩ−ＲＳリソースの指示情報は、前記基地局により設定されたＣＳＩ−ＲＳリソース集合内の、選択されたＣＳＩ−ＲＳリソースのインデックスである。
【０２３１】
本発明の一部の実施例において、選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または選択されたＣＳＩ−ＲＳポートの指示情報は、事前設定のコードブック内の、選択されたＣＳＩ−ＲＳポートに対応するプリコーディングマトリックス集合のインデックスである。
【０２３２】
ここで、選択されたＣＳＩ−ＲＳリソースに対応するプリコーディングマトリックス集合、選択されたＣＳＩ−ＲＳポートに対応するプリコーディングマトリックス集合、約定したサブバンド、物理リソース、位相集合、位相マトリックスは、前述実施例の記載と同様であり、繰り返して説明しない。
【０２３３】
同様な技術思想に基づき、本発明の他の１つの実施例は端末を提供し、当該端末は上記端末側のブロードキャスト情報の伝送フローチャートを執行する。
【０２３４】
図８は本発明の実施例に係る端末の構成図である。当該端末は上記端末側のＣＳＩフィードバックフローチャートを執行する。図に示すように、当該端末は、プロセッサ８０１と、メモリ８０２と、通信モジュール８０３と、バスインターフェイスとを備える。
【０２３５】
プロセッサ８０１は、バズアーキテクチャ及び通常の処理を管理し、メモリ８０２は、プロセッサ８０１が動作する際に用いられるデータを記憶することができる。通信モジュール８０３は、プロセッサ８０１の制御によりデータを送受信する。
【０２３６】
バスアーキテクチャは、いずれ数の相互接続するバス及びブリッジを備える。具体的に、プロセッサ８０１が代表となる１つまたは複数のプロセッサ及びメモリ８０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースは、インターフェースを提供する。プロセッサ８０１は、バズアーキテクチャ及び通常の処理を管理し、メモリ８０２は、プロセッサ８０１が動作する際に利用するデータを記憶することができる。
【０２３７】
本発明に係る実施例により開示されたユーザー装置側の周波数ドメインにおける拡散伝送流れは、プロセッサ８０１に適用することができるか、または、プロセッサ７０１により実現される。実現の間、周波数ドメインにおける拡散伝送流れにおける各々ステップは、プロセッサ８０１内のハードウェアの論理集積回路またはソフトウェア形式の指令により完成されることができる。プロセッサ７０１、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執アップリンクすることができる。汎用プロセッサはマイクロプロセッサまたはいずれのノーマルプロセッサなどであることができる。本発明に係る実施例に開示された方法のステップを参照すれば、ハードウェアプロセッサにより直接に執アップリンクして完成するか、または、プロセッサ内のハードウェア及びソフトウェアモジュールの組み合わせにより執アップリンクされて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ８０２に位置し、プロセッサ８０１はメモリ８０２に格納される情報を読み出して、そのハードウェアと協働して周波数ドメインにおける拡散伝送のステップを完成する。
【０２３８】
具体的に、プロセッサ８０１は、メモリ８０２に格納されたプログラム及びデータを読み出し、上記実施例に係る端末側のＣＳＩフィードバックフローチャートにおけるステップを執行する。
【０２３９】
同様な技術思想に基づき、本発明の他の１つの実施例は基地局を提供し、当該基地局は上記基地局側のプリコーディングフローチャートを執行する。
【０２４０】
図９は、本発明の実施例に係る基地局の構成図である。当該基地局は上記基地局側のプリコーディングフローチャートを執行することができる。図に示すように、当該基地局は、プロセッサ９０１と、メモリ９０２と、通信インターフェイス９０３と、バスインターフェイスとを備える。
【０２４１】
プロセッサ９０１は、バズアーキテクチャ及び通常の処理を管理し、メモリ９０２は、プロセッサ９０１が動作する際に用いられるデータを記憶することができる。通信インターフェイス９０３は、プロセッサ９０１の制御によりデータを送受信する。
【０２４２】
バスアーキテクチャは、いずれ数の相互接続するバス及びブリッジを備える。具体的に、プロセッサ９０１が代表となる１つまたは複数のプロセッサ及びメモリ９０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースは、インターフェースを提供する。プロセッサ９０１は、バズアーキテクチャ及び通常の処理を管理し、メモリ９０２は、プロセッサ９０１が動作する際に利用するデータを記憶することができる。
【０２４３】
本発明に係る実施例により開示されたユーザー装置側の周波数ドメインにおける拡散伝送流れは、プロセッサ９０１に適用することができるか、または、プロセッサ８０１により実現される。実現の間、周波数ドメインにおける拡散伝送流れにおける各々ステップは、プロセッサ９０１内のハードウェアの論理集積回路またはソフトウェア形式の指令により完成されることができる。プロセッサ８０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執アップリンクすることができる。汎用プロセッサはマイクロプロセッサまたはいずれのノーマルプロセッサなどであることができる。本発明に係る実施例に開示された方法のステップを参照すれば、ハードウェアプロセッサにより直接に執アップリンクして完成するか、または、プロセッサ内のハードウェア及びソフトウェアモジュールの組み合わせにより執アップリンクされて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ１９０２に位置し、プロセッサ８０１はメモリ９０２に格納される情報をよみだして、そのハードウェアと協働して周波数ドメインにおける拡散伝送のステップを完成する。
【０２４４】
具体的に、プロセッサ９０１は、メモリ９０２に格納されたプログラム及びデータを読み出し、上記実施例に係る基地局側のプリコーディングフローチャートにおけるステップを執行する。
【０２４５】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたはいは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０２４６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実アップリンクし、フロー図における一つまたはいは複数のフローおよび／またはブロック図における一つまたはいは複数のブロックに指定する機能を実現する。  
【０２４７】
これらのコンピュータプログラム指令は又、コンピュータまたはいは他のプログラム可能なデータ処理装置を特定方式で動作させるコンピュータ読取記憶装置に記憶できる。これによって、指令を含む装置は当該コンピュータ読取記憶装置内の指令を実アップリンクでき、フロー図における一つまたはいは複数のフローおよび／またはブロック図における一つまたはいは複数のブロックに指定する機能を実現する。
【０２４８】
これらコンピュータプログラム指令はさらに、コンピュータまたはいは他のプログラム可能なデータ処理装置設備に実装もできる。コンピュータプログラム指令が実装されたコンピュータまたはいは他のプログラム可能設備は、一連の操作ステップを実アップリンクすることによって、関連の処理を実現し、コンピュータまたはいは他のプログラム可能な設備において実アップリンクされる指令によって、フロー図における一つまたはいは複数のフローおよび／またはブロック図における一つまたはいは複数のブロックに指定する機能を実現する。  
【０２４９】
上述した実施形態に記述された技術的な解決手段を改造し、またはいはその中の一部の技術要素を置換することもできる。そのような、改造と置換は本発明の各実施形態の技術の範囲から逸脱するとは見なされない。
【０２５０】
無論、当業者によって、上述した実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。
【０２５１】
本出願は、２０１６年３月１８日に中国特許局に提出し、出願番号が２０１６１０１５８９９５．３であり、発明名称が「ＣＳＩのフィードバック方法、プリコーディング方法、装置、端末及び基地局」との中国特許出願を基礎とする優先権を主張し、その開示の総てをここに取り込む。
【符号の説明】
【０２５２】
２０１  基地局
２０２  端末
２０３  無線リンク
６０１  選択モジュール
６０２  測定モジュール
６０３  フィードバックモジュール
７０１  受信モジュール
７０２  第１確定モジュール
７０３  第２確定モジュール
７０４  プリコーディングモジュール
８０１  プロセッサ
８０２  メモリ
８０３  通信モジュール
９０１  プロセッサ
９０２  メモリ
９０３  通信インターフェイス
【図１】
2019510419.tif 000057
【図２】
2019510419.tif 000058
【図３】
2019510419.tif 000059
【図４】
2019510419.tif 000060
【図５】
2019510419.tif 000061
【図６】
2019510419.tif 000062
【図７】
2019510419.tif 000063
【図８】
2019510419.tif 000064
【図９】
2019510419.tif 000065
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
端末は、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択するステップと、
前記端末は、選択されたＣＳＩ−ＲＳリソースまたはＣＳＩ−ＲＳポート、及び、選択されたＣＳＩ−ＲＳリソースまたはＣＳＩ−ＲＳポートに対応するプリコーディングマトリックス集合に基づき、チャネル品質インジケータ（ＣＱＩ）を測定するステップと、
前記端末は、前記ＣＱＩ及び選択されたＣＳＩ−ＲＳリソースまたはＣＳＩ−ＲＳポートの指示情報をフィードバックするステップとを備え、
前記プリコーディングマトリックス集合に１つ以上のプリコーディングマトリックスが含まれ、前記約定したサブバンド上の１つの物理リソースは、前記プリコーディングマトリックス集合内の１つのプリコーディングマトリックスに対応することを特徴とするチャネル状態情報ＣＳＩのフィードバック方法。
【請求項２】
前記端末が、選択されたＣＳＩ−ＲＳリソースまたはＣＳＩ−ＲＳポート、及び選択されたＣＳＩ−ＲＳリソースまたは選択されたＣＳＩ−ＲＳポートに対応するプリコーディングマトリックス集合に基づき、ＣＱＩを測定する場合、
前記端末は、ダウンリンクチャネル情報、及び前記約定したサブバンド内の物理リソースに対応するプリコーディングマトリックスに基づき、ＣＱＩを測定し、
前記プリコーディングマトリックスは、選択されたＣＳＩ−ＲＳリソースまたは選択されたＣＳＩ−ＲＩポートに対応するプリコーディングマトリックス集合内のプリコーディングマトリックスであることを特徴とする請求項１に記載のチャネル状態情報ＣＳＩのフィードバック方法。
【請求項３】
前記端末は、選択されたＣＳＩ−ＲＳリソース及び選択されたＣＳＩ−ＲＳリソースに対応するプリコーディングマトリックス集合に基づき、ＣＱＩを測定する場合、
前記端末は、プリコーディングマトリックス集合に基づき、選択されたＣＳＩ−ＲＳリソースに対応するダウンリンクチャネル情報それぞれに対し、ＣＱＩを測定し、各々ＣＳＩ−ＲＳリソースに対応するＣＱＩを取得し、または
前記端末は、選択された各々ＣＳＩ−ＲＳリソースに対応するダウンリンクチャネル情報を合併し、プリコーディングマトリックス集合に基づき、合併後のダウンリンクチャネル情報に対しＣＱＩを測定し、選択された複数のＣＳＩ−ＲＳリソースに対応するジョイントＣＱＩを取得し、または、
前記端末は、選択されたＣＳＩ−ＲＳポート及び選択されたＣＳＩ−ＲＳポートに対応するプリコーディングマトリックス集合に基づき、ＣＱＩを測定する場合、
前記端末は、プリコーディングマトリックス集合に基づき、選択されたＣＳＩ−ＲＳポートに対応するダウンリンクチャネル情報に対しＣＱＩを測定し、選択されたＣＳＩ−ＲＳポートに対応するＣＱＩを取得し、または
前記端末は、前記基地局により設定されたＣＳＩ−ＲＳリソースに対応するダウンリンクチャネル情報、及び選択されたＣＳＩ−ＲＳポートに対応するプリコーディングマトリックス集合に基づき、ＣＱＩを測定し、選択されたＣＳＩ−ＲＳポートに対応するＣＱＩを取得することを特徴とする請求項１に記載のチャネル状態情報ＣＳＩのフィードバック方法。
【請求項４】
端末は、ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する場合、
前記端末は、前記基地局により設定されたＣＳＩ−ＲＳリソース集合内のＣＳＩ−ＲＳリソースまたはＣＳＩ−ＲＳポートに対応するダウンリンクチャネル情報に基づき、前記基地局により設定されたＣＳＩ−ＲＳリソースまたはＣＳＩ−ＲＳポートに対応する伝送性能情報を確定し、
または、前記端末は、前記基地局により設定されたＣＳＩ−ＲＳリソース集合内のＣＳＩ−ＲＳリソースまたはＣＳＩ−ＲＳポートに対応するプリコーディングマトリックス集合と、ダウンリンクチャネル情報を計算し得た結果に基づき、前記基地局により設定されたＣＳＩ−ＲＳリソースまたはＣＳＩ−ＲＳポートに対応する伝送性能情報を確定し、
前記端末は、確定された前記ＣＳＩ−ＲＳリソースまたはＣＳＩ−ＲＳポートに対応する伝送性能情報に基づき、基地局により設定されたＣＳＩ−ＲＳリソース集合から、約定したサブバンド上のＣＳＩ−ＲＳリソースまたはＣＳＩ−ＲＳポートを選択することを特徴とする請求項１に記載のチャネル状態情報ＣＳＩのフィードバック方法。
【請求項５】
選択されたＣＳＩ−ＲＳリソースの指示情報は、前記基地局により設定されたＣＳＩ−ＲＳリソース集合内の、選択されたＣＳＩ−ＲＳリソースのインデックスであり、
または、
選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または
選択されたＣＳＩ−ＲＳポートの指示情報は、事前設定のコードブック内の、選択されたＣＳＩ−ＲＳポートに対応するプリコーディングマトリックス集合のインデックスであることを特徴とする請求項１に記載のチャネル状態情報ＣＳＩのフィードバック方法。
【請求項６】
選択されたＣＳＩ−ＲＳリソースに対応するプリコーディングマトリックス集合は、前記端末と基地局により事前約定されたものであり、
及び/または、
選択されたＣＳＩ−ＲＳポートに対応するプリコーディングマトリックス集合内のプリコーディングマトリックスは、列選択ベクトル、または、列選択ベクトル・グループより構成され、前記列選択ベクトル内の１つのエレメントは１であり、他のエレメントは０であり、または
選択されたＣＳＩ−ＲＳポートに対応するプリコーディングマトリックス集合は、列選択ベクトル及び位相集合、または、列選択ベクトル・グループ及び位相集合に基づいて得られたものであり、前記位相集合には１つ以上の位相因子が含まれ、１つの位相因子に基づいて、１つのプリコーディングマトリックス集合内の１つのプリコーディングマトリックスを取得することを特徴とする請求項１ないし請求項５のいずれか１項に記載のチャネル状態情報ＣＳＩのフィードバック方法。
【請求項７】
選択されたＣＳＩ−ＲＳポートに対応するプリコーディングマトリックス集合内のプリコーディングマトリックス内の１つの列ベクトルは、連結されたＭ個の列選択ベクトルより構成され、Ｍは選択されたＣＳＩ−ＲＳポート数と等しく、前記Ｍ個の列選択ベクトル内の値が１であるエレメエレメントに対応するポートは、選択されたＣＳＩ−ＲＳポートを構成し、Ｍは、１より大きいか等しい整数であることを特徴とする請求項６に記載のチャネル状態情報ＣＳＩのフィードバック方法。
【請求項８】
基地局は、端末からフィードバックされたチャネル品質インジケータ（ＣＱＩ）及び選択された約定したサブバンド上のＣＳＩ−ＲＳリソースまたはＣＳＩ−ＲＳポートの指示情報を受信し、
前記基地局は、前記ＣＱＩに基づき、ダウンリンク伝送のコーディング・変調方式を確定し、
前記基地局は、選択された約定したサブバンド上のＣＳＩ−ＲＳリソースまたはＣＳＩ−ＲＳポートの指示情報に基づき、対応するプリコーディングマトリックス集合及びビームフォーミングベクトルを確定し、
前記基地局は、確定されたプリコーディングマトリックス集合及びビームフォーミングベクトルに基づき、前記約定したサブバンド上の物理リソースにおいて伝送するデータに対しプリコーディングを行うことを特徴とするプリコーディング方法。
【請求項９】
前記基地局は、確定されたプリコーディングマトリックス集合及びビームフォーミングベクトルに基づき、前記約定したサブバンド上の物理リソースにおいて伝送するデータに対しプリコーディングを行う場合、
前記基地局は、確定された第１プリコーディングマトリックス集合内のプリコーディングマトリックスと、確定されたビームフォーミングベクトルとを計算し、プリコーディングするための第２プリコーディングマトリックス集合を取得し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、
前記基地局は、前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行うことを特徴とする請求項８に記載のプリコーディング方法。
【請求項１０】
前記対応するプリコーディングマトリックス集合及びビームフォーミングベクトルは、前記基地局が選択された約定したサブバンド上のＣＳＩ−ＲＳポートの指示情報に基づいて確定されたものであり、
前記基地局は、確定されたプリコーディングマトリックス集合及びビームフォーミングベクトルに基づき、前記約定したサブバンド上の物理リソースにおいて伝送するデータに対しプリコーディングを行う場合、
前記基地局は、確定されたプリコーディングマトリックス集合内のプリコーディングマトリックス内の列選択ベクトルそれぞれを、列選択ベクトル各自に対応するビームフォーミングベクトルに替え、プリコーディングするための第２プリコーディングマトリックス集合を取得し、ここで、１つのプリコーディングマトリックス内の１つの列ベクトルは、Ｍ個の列選択ベクトルが連続されて構成され、列選択ベクトルそれぞれは１つのＣＳＩ−ＲＳポートに対応し、前記第２プリコーディングマトリックス集合に１つ以上のプリコーディングマトリックスが含まれ、前記約定したサブバンド上の１つの物理リソースは、前記第２プリコーディングマトリックス集合内の１つのプリコーディングマトリックスに対応し、Ｍは、１より大きいか等しい整数であり、
前記基地局は、前記約定したサブバンド上の物理リソースに対応する前記第２プリコーディングマトリックス集合内のプリコーディングマトリックスに基づき、前記約定したサブバンド上の物理リソースにおいて伝送するデータに対してプリコーディングを行うことを特徴とする請求項８に記載のプリコーディング方法。
【請求項１１】
選択されたＣＳＩ−ＲＳリソースの指示情報は、前記基地局により設定されたＣＳＩ−ＲＳリソース集合内の、選択されたＣＳＩ−ＲＳリソースのインデックスであり、
または、
選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または
選択されたＣＳＩ−ＲＳポートの指示情報は、事前設定のコードブック内の、選択されたＣＳＩ−ＲＳポートに対応するプリコーディングマトリックス集合のインデックスであることを特徴とする請求項８に記載のプリコーディング方法。
【請求項１２】
ダウンリンクチャネル情報に基づき、基地局により設定されたＣＳＩ−ＲＳリソース集合から、約定したサブバンド上のＣＳＩ−ＲＳリソースまたはＣＳＩ−ＲＳポートを選択する選択モジュールと、
選択されたＣＳＩ−ＲＳリソースまたはＣＳＩ−ＲＳポート，及び選択されたＣＳＩ−ＲＳリソースまたはＣＳＩ−ＲＳポートに対応するプリコーディングマトリックス集合に基づき、チャネル品質インジケータ（ＣＱＩ）を測定する測定モジュールと、
前記ＣＱＩ及び選択されたＣＳＩ−ＲＳリソースまたはＣＳＩ−ＲＳポートの指示情報をフィードバックするフィードバックモジュールとを備え、
前記プリコーディングマトリックス集合に１つ以上のプリコーディングマトリックスが含まれ、前記約定したサブバンド上の１つの物理リソースは、前記プリコーディングマトリックス集合内の１つのプリコーディングマトリックスに対応することを特徴とする端末。
【請求項１３】
前記測定モジュールは、
ダウンリンクチャネル情報、及び前記約定したサブバンド内の物理リソースに対応するプリコーディングマトリックスに基づき、ＣＱＩを測定し、前記プリコーディングマトリックスは、選択されたＣＳＩ−ＲＳリソースまたは選択されたＣＳＩ−ＲＩポートに対応するプリコーディングマトリックス集合内のプリコーディングマトリックスであることを特徴とする請求項１２に記載の端末。
【請求項１４】
前記選択モジュールは、基地局により設定されたＣＳＩ−ＲＳリソース集合から、約定したサブバンド上のＣＳＩ−ＲＳリソースを選択し、
前記測定モジュールは、
プリコーディングマトリックス集合に基づき、選択されたＣＳＩ−ＲＳリソースに対応するダウンリンクチャネル情報それぞれに対し、ＣＱＩを測定し、各々ＣＳＩ−ＲＳリソースに対応するＣＱＩを取得し、または
選択された各々ＣＳＩ−ＲＳリソースに対応するダウンリンクチャネル情報を合併し、プリコーディングマトリックス集合に基づき、合併後のダウンリンクチャネル情報に対しＣＱＩを測定し、選択された複数のＣＳＩ−ＲＳリソースに対応するジョイントＣＱＩを取得し、
または、
前記選択モジュールは、基地局により設定されたＣＳＩ−ＲＳリソース集合から、約定したサブバンド上のＣＳＩ−ＲＳポートを選択し、
前記測定モジュールは、
プリコーディングマトリックス集合に基づき、選択されたＣＳＩ−ＲＳポートに対応するダウンリンクチャネル情報に対しＣＱＩを測定し、選択されたＣＳＩ−ＲＳポートに対応するＣＱＩを取得し、または
前記基地局により設定されたＣＳＩ−ＲＳリソースに対応するダウンリンクチャネル情報及び選択されたＣＳＩ−ＲＳポートに対応するプリコーディングマトリックス集合に基づき、ＣＱＩを測定し、選択されたＣＳＩ−ＲＳポートに対応するＣＱＩを取得することを特徴とする請求項１２に記載の端末。
【請求項１５】
前記選択モジュールは、
前記基地局により設定されたＣＳＩ−ＲＳリソース集合内のＣＳＩ−ＲＳリソースまたはＣＳＩ−ＲＳポートに対応するダウンリンクチャネル情報に基づき、前記基地局により設定されたＣＳＩ−ＲＳリソースまたはＣＳＩ−ＲＳポートに対応する伝送性能情報を確定し、または、前記基地局により設定されたＣＳＩ−ＲＳリソース集合内のＣＳＩ−ＲＳリソースまたはＣＳＩ−ＲＳポートに対応するプリコーディングマトリックス集合と、ダウンリンクチャネル情報を計算し得た結果に基づき、前記基地局により設定されたＣＳＩ−ＲＳリソースまたはＣＳＩ−ＲＳポートに対応する伝送性能情報を確定し、
確定された前記ＣＳＩ−ＲＳリソースまたはＣＳＩ−ＲＳポートに対応する伝送性能情報に基づき、基地局により設定されたＣＳＩ−ＲＳリソース集合から、約定したサブバンド上のＣＳＩ−ＲＳリソースまたはＣＳＩ−ＲＳポートを選択することを特徴とする請求項１２に記載の端末。
【請求項１６】
選択されたＣＳＩ−ＲＳリソースの指示情報は、前記基地局により設定されたＣＳＩ−ＲＳリソース集合内の、選択されたＣＳＩ−ＲＳリソースのインデックスであり、
または、
選択されたＣＳＩ−ＲＳポートの指示情報は、前記基地局により設定されたＣＳＩ−ＲＳリソースに含まれる全部のＣＳＩ−ＲＳポート内の、選択されたＣＳＩ−ＲＳポートインデックスであり、または
選択されたＣＳＩ−ＲＳポートの指示情報は、事前設定のコードブック内の、選択されたＣＳＩ−ＲＳポートに対応するプリコーディングマトリックス集合のインデックスであることを特徴とする請求項１２に記載の端末。
【請求項１７】
選択されたＣＳＩ−ＲＳリソースに対応するプリコーディングマトリックス集合は、前記端末と基地局により事前約定されたものであり、
及び/または、
選択されたＣＳＩ−ＲＳポートに対応するプリコーディングマトリックス集合内のプリコーディングマトリックスは、列選択ベクトル、または、列選択ベクトル・グループより構成され、前記列選択ベクトル内の１つのエレメントは１であり、他のエレメントは０であり、または
選択されたＣＳＩ−ＲＳポートに対応するプリコーディングマトリックス集合は、列選択ベクトル及び位相集合、または、列選択ベクトル・グループ及び位相集合に基づいて得られたものであり、前記位相集合には１つ以上の位相因子が含まれ、１つの位相因子に基づいて、１つのプリコーディングマトリックス集合内の１つのプリコーディングマトリックスを取得することを特徴とする請求項１２ないし請求項１６のいずれか１項に記載の端末。
【請求項１８】
選択されたＣＳＩ−ＲＳポートに対応するプリコーディングマトリックス集合内のプリコーディングマトリックス内の１つの列ベクトルは、連結されたＭ個の列選択ベクトルより構成され、Ｍは選択されたＣＳＩ−ＲＳポート数と等しく、前記Ｍ個の列選択ベクトル内の値が１であるエレメエレメントに対応するポートは、選択されたＣＳＩ−ＲＳポートを構成し、Ｍは、１より大きいか等しい整数であることを特徴とする請求項１７に記載の端末。
【国際調査報告】
2019510419.tif 000066
2019510419.tif 000067
2019510419.tif 000068
2019510419.tif 000069